(57)【要約】無線通信システムにおいて反復時間期間を割り当てる方法および装置。例えばビーコンのようなタイミング基準が識別される。ビーコンに関するオーバヘッド信号周期性を有する反復時間期間のオーバヘッド・セットが識別される。ビーコン時間期間に関するデータ・ペイロード周期性を有する反復時間期間のデータ・ペイロード・セットが識別される。反復時間期間のオーバヘッド・セットが、反復時間期間の固定ビット用途サブセットと、反復時間期間のフレキシブル・ビット用途サブセットとに分割される。
2009538545.tif 000002
【特許請求の範囲】
【請求項１】
情報を通信するために、ストリップ・シンボル・データのブロックを用いる方法であって、
ビーコン時間基準を識別することと、
前記ビーコン時間基準に関するオーバヘッド信号周期性を有する反復時間期間のオーバヘッド・セットを識別することと、
前記ビーコン時間基準に関するデータ・ペイロード周期性を有する反復時間期間のデータ・ペイロード・セットを識別することと、
前記反復時間期間のオーバヘッド・セットを、少なくとも、反復時間期間の固定ビット用途サブセットと、反復時間期間のフレキシブル・ビット用途サブセットとに分割することと、
前記反復時間期間の固定ビット用途サブセットと、前記反復時間期間のフレキシブル・ビット用途サブセットとに基づいて、データを、プロセッサまたは送信機に通信することと
を備える方法。
【請求項２】
第１のタイプの固定ビット用途メッセージを生成することと、
第２のタイプの固定ビット用途メッセージを生成することと、
送信のために、前記第１のタイプの固定ビット用途メッセージの反復送信のための第１の期間を識別することと、
送信のために、前記第２のタイプの固定ビット用途メッセージの反復送信のための第２の期間を識別することと
を更に備える請求項１に記載の方法。
【請求項３】
前記第１のタイプの固定ビット用途メッセージは、ソフトウェア・バージョン、システム時間、アクセス優先度、負荷情報、キャリア・コンフィグレーション、セクタ・コンフィグレーション、および送信電力のうちの１つを備える請求項２に記載の方法。
【請求項４】
前記反復時間期間のフレキシブル・ビット用途サブセットのフレキシブル・ビット用途メッセージは、その他のキャリア負荷メッセージを備える請求項１に記載の方法。
【請求項５】
前記反復時間期間のフレキシブル・ビット用途サブセットのフレキシブル・ビット用途メッセージは、その他のセクタ負荷メッセージを備える請求項１に記載の方法。
【請求項６】
通信デバイスであって、
格納された送信機制御情報を含むメモリと、
情報を通信するためにトーンのブロックを用いる通信モジュールと、
ビーコン時間期間を識別し、前記ビーコン時間期間に関するオーバヘッド信号周期性を有する反復時間期間のオーバヘッド・セットを識別し、前記ビーコン時間期間に関するデータ・ペイロード周期性を有する反復時間期間のデータ・ペイロード・セットを識別し、前記反復時間期間のオーバヘッド・セットを、反復時間期間の固定ビット用途サブセットと、反復時間期間のフレキシブル・ビット用途サブセットとに分割するように構成された決定モジュールと、
前記反復時間期間の固定ビット用途サブセットと、前記反復時間期間のフレキシブル・ビット用途サブセットとの間に送信する送信機と
を備える通信デバイス。
【請求項７】
前記決定モジュールは、
第１のタイプの固定ビット用途メッセージを生成し、
第２のタイプの固定ビット用途メッセージを生成し、
送信のために、前記第１のタイプの固定ビット用途メッセージの反復送信のための第１の期間を識別し、
送信のために、前記第２のタイプの固定ビット用途メッセージの反復送信のための第２の期間を識別するように構成された請求項６に記載の通信デバイス。
【請求項８】
前記第１のタイプの固定ビット用途メッセージは、ソフトウェア・バージョン、システム時間、アクセス優先度、負荷情報、キャリア・コンフィグレーション、セクタ・コンフィグレーション、および送信電力のうちの１つを備える請求項７に記載の通信デバイス。
【請求項９】
前記反復時間期間のフレキシブル・ビット用途サブセットのフレキシブル・ビット用途メッセージは、その他のキャリア負荷メッセージを備える請求項６に記載の通信デバイス。
【請求項１０】
前記反復時間期間のフレキシブル・ビット用途サブセットのフレキシブル・ビット用途メッセージは、その他のセクタ負荷メッセージを備える請求項６に記載の通信デバイス。
【請求項１１】
情報を通信するためにトーンのブロックを用いるように動作可能な通信デバイスであって、
ビーコン時間期間を識別する手段と、
前記ビーコン時間期間に関するオーバヘッド信号周期性を有する反復時間期間のオーバヘッド・セットを識別する手段と、
前記ビーコン時間期間に関するデータ・ペイロード周期性を有する反復時間期間のデータ・ペイロード・セットを識別する手段と、
前記反復時間期間のオーバヘッド・セットを、反復時間期間の固定ビット用途サブセットと、反復時間期間のフレキシブル・ビット用途サブセットとに分割する手段と、
前記反復時間期間の固定ビット用途サブセットと、前記反復時間期間のフレキシブル・ビット用途サブセットとに基づいて、データを、プロセッサまたは送信機に通信する手段と
を備える通信デバイス。
【請求項１２】
第１のタイプの固定ビット用途メッセージを生成する手段と、
第２のタイプの固定ビット用途メッセージを生成する手段と、
送信のために、前記第１のタイプの固定ビット用途メッセージの反復送信のための第１の期間を識別する手段と、
送信のために、前記第２のタイプの固定ビット用途メッセージの反復送信のための第２の期間を識別する手段と
を更に備える請求項１１に記載の通信デバイス。
【請求項１３】
前記第１のタイプの固定ビット用途メッセージは、ソフトウェア・バージョン、システム時間、アクセス優先度、負荷情報、キャリア・コンフィグレーション、セクタ・コンフィグレーション、および送信電力のうちの１つを備える請求項１２に記載の通信デバイス。
【請求項１４】
前記反復時間期間のフレキシブル・ビット用途サブセットのフレキシブル・ビット用途メッセージは、その他のキャリア負荷メッセージを備える請求項１１に記載の通信デバイス。
【請求項１５】
前記反復時間期間のフレキシブル・ビット用途サブセットのフレキシブル・ビット用途メッセージは、その他のセクタ負荷メッセージを備える請求項１１に記載の通信デバイス。
【請求項１６】
情報を通信するためにトーンのブロックを用いる格納された命令群を有する機械読取可能媒体であって、前記命令群は、
ビーコン時間期間を識別し、
前記ビーコン時間期間に関するオーバヘッド信号周期性を有する反復時間期間のオーバヘッド・セットを識別し、
前記ビーコン時間期間に関するデータ・ペイロード周期性を有する反復時間期間のデータ・ペイロード・セットを識別し、
前記反復時間期間のオーバヘッド・セットを、反復時間期間の固定ビット用途サブセットと、反復時間期間のフレキシブル・ビット用途サブセットとに分割する
ための各命令を備える機械読取可能媒体。
【請求項１７】
前記命令群は更に、
第１のタイプの固定ビット用途メッセージを生成し、
第２のタイプの固定ビット用途メッセージを生成し、
送信のために、前記第１のタイプの固定ビット用途メッセージの反復送信のための第１の期間を識別し、
送信のために、前記第２のタイプの固定ビット用途メッセージの反復送信のための第２の期間を識別する
ための各命令を備える請求項１６に記載の機械読取可能媒体。
【請求項１８】
前記第１のタイプの固定ビット用途メッセージは、ソフトウェア・バージョン、システム時間、アクセス優先度、負荷情報、キャリア・コンフィグレーション、セクタ・コンフィグレーション、および送信電力のうちの１つを備える請求項１７に記載の機械読取可能媒体。
【請求項１９】
前記反復時間期間のフレキシブル・ビット用途サブセットのフレキシブル・ビット用途メッセージは、その他のキャリア負荷メッセージを備える請求項１６に記載の機械読取可能媒体。
【請求項２０】
前記反復時間期間のフレキシブル・ビット用途サブセットのフレキシブル・ビット用途メッセージは、その他のセクタ負荷メッセージを備える請求項１６に記載の機械読取可能媒体。
【請求項２１】
情報を通信するためにトーンのブロックを用いる無線通信システムにおいて動作可能な装置であって、
格納された送信機制御情報を含むメモリと、
ビーコン時間期間を識別し、前記ビーコン時間期間に関するオーバヘッド信号周期性を有する反復時間期間のオーバヘッド・セットを識別し、前記ビーコン時間期間に関するデータ・ペイロード周期性を有する反復時間期間のデータ・ペイロード・セットを識別し、前記反復時間期間のオーバヘッド・セットを、反復時間期間の固定ビット用途サブセットと、反復時間期間のフレキシブル・ビット用途サブセットとに分割するように構成されたプロセッサと
を備える装置。
【請求項２２】
前記プロセッサは更に、
第１のタイプの固定ビット用途メッセージを生成し、
第２のタイプの固定ビット用途メッセージを生成し、
送信のために、前記第１のタイプの固定ビット用途メッセージの反復送信のための第１の期間を識別し、
送信のために、前記第２のタイプの固定ビット用途メッセージの反復送信のための第２の期間を識別する
ように構成された請求項２１に記載の装置。
【請求項２３】
前記第１のタイプの固定ビット用途メッセージは、ソフトウェア・バージョン、システム時間、アクセス優先度、負荷情報、キャリア・コンフィグレーション、セクタ・コンフィグレーション、および送信電力のうちの１つを備える請求項２２に記載の装置。
【請求項２４】
前記反復時間期間のフレキシブル・ビット用途サブセットのフレキシブル・ビット用途メッセージは、その他のキャリア負荷メッセージを備える請求項２２に記載の装置。
【請求項２５】
前記反復時間期間のフレキシブル・ビット用途サブセットのフレキシブル・ビット用途メッセージは、その他のセクタ負荷メッセージを備える請求項２１に記載の装置。
【発明の詳細な説明】
【技術分野】
【０００１】
本発明は通信システムに関し、更に詳しくは、無線通信システムにおいて使用されるトーンを割り当てる方法および装置に関する。
【背景技術】
【０００２】
セルラ無線システムにおいて、サービス・エリアは、一般にセルと称される複数の有効範囲領域に分割される。各セルは、複数のセクタにさらに再分割されうる。セル内の無線端末は、セルにサービス提供する基地局と通信する。無線端末は、例えば、セル電話および無線モデムを有する携帯情報端末などの他のモバイル送信機を含む広範囲なモバイル・デバイスを含むことができる。
【０００３】
周知のセルラ通信システムでの問題は、セルの１つのセクタにおける基地局による送信が、同じセルの隣接するセクタ内または近隣のセル内の基地局による送信と衝突することがある。例えば、直交周波数分割多重化（ＯＦＤＭ）システムは、所与の帯域を占め、それを、データを送信するために使用されうる多数の均一に離間されたトーンに分割する。オーバラップするセクタおよび／またはセル内の基地局による送信が、同一のトーンまたはトーンのセットを使用するとき、干渉が、隣接するセクタ内および／または近隣のセル内の基地局の動作によって、時間の期間にわたって生じることがある。この問題は、送信が周期的またはほぼ周期的である場合特に著しい。
【０００４】
周期的またはほぼ周期的な状況において、隣接するセクタおよび／またはセル内の基地局によって引き起こされる相互干渉は、強く相関している。例えば、第１のセクタに対応する基地局Ａによって使用されるトーンが、隣接するセクタに対応する他の基地局Ｂによって使用されるトーンと同じであるとき、次の送信期間において、トーンが、同じ関数を使用して割り当てられかつ周期的に繰り返される場合に、基地局Ａによって使用されるトーンが、再び基地局Ｂによって使用されるトーンと同じになる。このタイプの相関された干渉は、同じ２つの基地局によって送信される信号を、長い期間にわたって互いに反復して干渉させうる。無線端末が、２つの基地局間のオーバラップするエリア内に位置する場合、無線端末の受信機は、長い期間、ダウンリンク信号から信号を正しく検出できないことがある。
【０００５】
干渉が相関されあるいは延長される危険性を低減するために、干渉が相関される危険性を最小化する方式で、近隣のセクタおよびセル内の基地局にトーンを割り当てることができるのであれば有益である。
【０００６】
上記を考慮し、無線通信システムの隣接するセルおよび近隣のセルで生じる送信間の衝突の可能性を最小化する必要性が明らかになった。隣接するセクタまたは近隣のセル内の任意の所与の基地局からの送信が、通信信号が任意の特定のデバイスのために妨げられる延長期間を避けるために、反復制御されおよび／または最小化されて衝突することが望ましい。
【発明の開示】
【０００７】
（関連出願）  
本出願は、参照によって本明細書に明確に組み込まれる２００６年４月１６日に出願された米国特許仮出願第６０／７９２，２９１号の利益を主張する。
【発明の概要】
【０００８】
本明細書では、例えば、マルチトーン・マルチセクタ、マルチセル通信システムのような様々な通信システムにおける通信目的のためにトーン・サブセットを割り当て、使用するための方法および装置が説明される。このシステムは、例えば、直交周波数分割多重（ＯＦＤＭ）システムでありうる。このＯＦＤＭ通信システムは、データ信号および制御信号を送信するためのトーンのセットを含んでいる。送信機と受信機との両方において、情報を通信するために、ストリップ・シンボル・データのブロックが使用される。ビーコン時間基準が識別される。ビーコン時間基準に関するオーバヘッド信号周期性を有する反復時間期間のオーバヘッド・セットが識別される。ビーコン時間基準に関するデータ・ペイロード周期性を有する反復時間期間のデータ・ペイロード・セットが識別される。反復時間期間のオーバヘッド・セットは、反復時間期間の固定ビット用途サブセットと、反復時間期間のフレキシブル・ビット用途サブセットとに分割される。この反復時間期間の固定ビット用途サブセットと、反復時間期間のフレキシブル・ビット用途サブセットとに基づいて、データが、プロセッサまたは送信機に通信される。
【０００９】
更に、第１のタイプの固定ビット用途メッセージが生成される。第２のタイプの固定ビット用途メッセージも生成されうる。プロセッサへの送信または通信のために、第１のタイプの固定ビット用途メッセージの反復送信のための第１の期間が識別される。送信のために、第２のタイプの固定ビット用途メッセージの反復送信のための第２の期間が識別される。第１のタイプの固定ビット用途メッセージは、ソフトウェア・バージョン、システム時間、アクセス優先度、負荷情報、キャリア・コンフィグレーション、セクタ・コンフィグレーション、および送信電力のうちの１つを含みうる。反復時間期間のフレキシブル・ビット用途サブセットのフレキシブル・ビット用途メッセージは、その他のキャリア負荷メッセージを備える。反復時間期間のフレキシブル・ビット用途サブセットのフレキシブル・ビット用途メッセージは、その他のセクタ負荷メッセージを備える。
【００１０】
様々な実施形態の機能は、ハードウェア、ハードウェアと組み合わされたソフトウェア、およびソフトウェアを使用して実現されうる。トーン割り当てチャートは、１度計算され、割り当て情報の再計算が、連続ベースで実行される必要がないように、基地局および／またはモバイル・ノード内に格納されうる。そのような実施形態において、トーンおよびトーン・シーケンスの割り当ては、機能が、割り当てプロセスの間にリアル・タイムで実行されなくても機能に従って実行される。
【００１１】
様々な実施形態が、上記概要で議論されたが、必ずしも全ての実施形態が、同一の特徴を含む必要はなく、上述された幾つかの特徴は必ずしも必要ではないが、幾つかの実施形態において望ましい場合があることが理解されるべきである。様々な実施形態の様々な方法および装置の多数の追加の特徴、利点、および詳細は、以下の詳細な記載で議論される。
【詳細な説明】
【００１２】
トーン・サブセット割り当てのために記載される方法および装置は、広範な通信システムで用いられうる。例えば、様々な特徴は、システムとともに用いることができ、このシステムは、モデムを備えるノートブック・コンピュータ、ＰＤＡ、およびデバイス移動度のために無線干渉をサポートする広範な他のデバイスなどのモバイル通信デバイスをサポートする。
【００１３】
図１は、セル１  １０２、セルＭ  １０４である複数のセルを含む様々な実施形態に従って実現される典型的な通信システム１００を示す。近隣のセル１０２、１０４は、セル境界領域１６８によって示されるように僅かにオーバラップし、それによって近隣のセル内の基地局によって送信される信号間の信号干渉の可能性を与えることに注目されたい。典型的なシステム１００の各セル１０２、１０４は、３つのセクタを含む。複数のセクタに再分割されていない（Ｎ＝１）セル、２つのセクタを有する（Ｎ＝２）セル、および３つより多いセクタを有する（Ｎ＞３）セルも、様々な実施形態に従って可能である。セル１０２は、第１のセクタであるセクタ１  １１０、第２のセクタであるセクタ２  １１２、および第３のセクタであるセクタ３  １１４を含む。各セクタ１１０、１１２、１１４は、２つのセクタ境界領域を有し、各セクタ境界領域は、２つの隣接するセクタ間で共有される。セクタ境界領域は、近隣のセクタ内の基地局によって送信された信号間の信号干渉の可能性を与える。ライン１１６は、セクタ１  １１０とセクタ２  １１２との間のセクタ境界領域を表し、ライン１１８は、セクタ２  １１２とセクタ３  １１４との間のセクタ境界領域を表し、ライン１２０は、セクタ３  １１４とセクタ１  １１０との間のセクタ境界領域を表す。同様に、セルＭ  １０４は、第１のセクタであるセクタ１  １２２、第２のセクタであるセクタ２  １２４、および第３のセクタであるセクタ３  １２６を含む。ライン１２８は、セクタ１  １２２とセクタ２  １２４との間のセクタ境界領域を表し、ライン１３０は、セクタ２  １２４とセクタ３  １２６との間のセクタ境界領域を表し、ライン１３２は、セクタ３  １２６とセクタ１  １２２との間のセクタ境界領域を表す。セル１  １０２は、基地局（ＢＳ）である基地局１  １０６と、各セクタ１１０、１１２、１１４内の複数のエンド・ノード（ＥＮ）を含む。セクタ１  １１０は、それぞれ無線リンク１４０、１４２を介してＢＳ１０６に結合されたＥＮ（１）１３６およびＥＮ（Ｘ）１３８を含み、セクタ２  １１２は、それぞれ無線リンク１４８、１５０を介してＢＳ１０６に結合されたＥＮ（１’）１４４およびＥＮ（Ｘ’）１４６を含み、セクタ３  １１４は、それぞれ無線リンク１５６、１５８を介してＢＳ１０６に結合されたＥＮ（１”）１５２およびＥＮ（Ｘ”）１５４を含む。同様に、セルＭ  １０４は、基地局Ｍ  １０８と、各セクタ１２２、１２４、１２６内の複数のエンド・ノード（ＥＮ）を含む。セクタ１  １２２は、それぞれ無線リンク１４０’、１４２’を介してＢＳＭ  １０８に結合されたＥＮ（１）１３６’およびＥＮ（Ｘ）１３８’を含み、セクタ２  １２４は、それぞれ無線リンク１４８’、１５０’を介してＢＳＭ  １０８に結合されたＥＮ（１’）１４４’およびＥＮ（Ｘ’）１４６’を含み、セクタ３  １２６は、それぞれ無線リンク１５６’、１５８’を介してＢＳ１０８に結合されたＥＮ（１”）１５２’およびＥＮ（Ｘ”）１５４’を含む。システム１００は、それぞれネットワーク・リンク１６２、１６４を介してＢＳ１  １０６およびＢＳＭ  １０８に結合されたネットワーク・ノード１６０も含む。ネットワーク・ノード��６０は、他のネットワーク・ノードである例えば、他の基地局、ＡＡＡサーバ・ノード、中間ノード、ルータなどおよびネットワーク・リンク１６６を介してインターネットとも結合される。ネットワーク・リンク１６２、１６４、１６６は、例えば光ファイバ・ケーブルでありうる。各エンド・ノード、例えばＥＮ１  １３６は、送信機のみならず受信機をも含む無線端末でありうる。無線端末、例えばＥＮ（１）１３６は、システム１００を通って移動することができ、かつＥＮが現在位置するセル内の基地局と無線リンクを介して通信することができる。無線端末（ＷＴ）、例えばＥＮ（１）１３６は、ピア・ノード、例えばシステム１００内の他のＷＴと、または基地局、例えばＢＳ１０６および／またはネットワーク・ノード１６０を介して、外部システム１００と通信することができる。ＷＴ、例えばＥＮ（１）１３６は、セル電話、無線モデムを有する携帯情報端末などモバイル通信デバイスであることができる。各基地局は、トーン割り当てに用いられる方法とは異なるストリップ・シンボル期間のための方法を用いて、かつ残りのシンボル期間、例えば非ストリップ・シンボル期間におけるトーン・ホッピングを決定して、トーン・サブセット割り当てを実行する。無線端末は、特定のストリップ・シンボル期間でデータおよび情報を受信するために用いることが可能なトーンを決定するために、基地局から受信した情報、例えば基地局スロープＩＤ、セクタＩＤ情報とともに、トーン・サブセット割り当て方法を用いる。様々な実施形態に従って、各トーンを横切るセクタ間およびセル間干渉を拡散するために、トーン・サブセット割り当てシーケンスが構築される。
【００１４】
図２は、様々な実施形態に従った典型的な基地局２００を示す。典型的な基地局２００は、トーン・サブセット割り当てシーケンスを実施し、異なるトーン・サブセット割り当てシーケンスが、セルの各異なるセクタ・タイプについて生成される。基地局２００は、図１のシステム１００の基地局１０６、１０８の任意の１つとして用いることができる。基地局２００は、受信機２０２、送信機２０４、例えばＣＰＵのようなプロセッサ２０６、入力／出力インタフェース２０８、およびメモリ２１０を含み、これらは、様々な要素２０２、２０４、２０６、２０８、および２１０が、データおよび情報を交換することができるバス２０９によって共に結合される。
【００１５】
受信機２０２に結合されたセクタ化アンテナ２０３は、基地局のセル内の各セクタからの無線端末送信から、データおよび他の信号、例えばチャネル・レポートを受信するために用いられる。送信機２０４に結合されたセクタ化アンテナ２０５は、基地局のセル内の各セクタ内の無線端末３００（図３参照）へ、データおよび他の信号、例えば制御信号、パイロット信号、ビーコン信号などを送信するために用いられる。様々な実施形態において、基地局２００は、複数の受信機２０２および複数の送信機２０４、例えば各セクタのために個別の受信機２０２および各セクタのために個別の送信機２０４を用いることができる。プロセッサ２０６は、例えば汎用中央処理ユニット（ＣＰＵ）であり得る。プロセッサ２０６は、メモリ２１０内に格納された１つ以上のルーチン２１８の管理の下で基地局２００の動作を制御し、かつ方法を実施する。Ｉ／Ｏインタフェース２０８は、ＢＳ２００を他の基地局、アクセス・ルータ、ＡＡＡサーバ・ノードなどへ結合する他のネットワーク・ノード、他のネットワーク、およびインターネットへの接続を提供する。メモリ２１０は、ルーチン２１８およびデータ／情報２２０を含む。
【００１６】
データ／情報２２０は、データ２３６、ダウンリンク・ストリップ・シンボル時間情報２４０およびダウンリンク・トーン情報２４２を含むトーン・サブセット割り当てシーケンス情報２３８、複数のＷＴ情報のセット、すなわちＷＴ１情報２４６およびＷＴＮ情報２６０を含む無線端末（ＷＴ）データ／情報２４４を含む。ＷＴ情報の各セット、例えばＷＴ１情報２４６は、データ２４８、端末ＩＤ２５０、セクタＩＤ２５２、アップリンク・チャネル情報２５４、ダウンリンク・チャネル情報２５６、およびモード情報２５８を含む。
【００１７】
ルーチン２１８は、通信ルーチン２２２および基地局制御ルーチン２２４を含む。基地局制御ルーチン２２４は、スケジューラ・モジュール２２６およびシグナリング・ルーチン２２８を含み、シグナリング・ルーチン２２８は、ストリップ・シンボル期間のためのトーン・サブセット割り当てルーチン２３０、シンボル期間の残り、例えば非ストリップ・シンボル期間のための他のダウンリンク・トーン割り当てホッピング・ルーチン２３２、およびビーコン・ルーチン２３４を含む。
【００１８】
データ２３６は、ＷＴへの送信前に符号化するために送信機２０４の符号器２１４へ送られ、かつ受信後に受信機２０２の復号器２１２によって処理されたＷＴからのデータが受信される、送信データを含む。ダウンリンク・ストリップ・シンボル時間情報２４０は、スーパスロット、ビーコンスロット、およびウルトラスロット構造情報などのフレーム同期構造情報、および、所与のシンボル期間がストリップ・シンボル期間であるか否かを特定する情報であって、そうであれば、ストリップ・シンボル期間のインデクスであり、ストリップ・シンボルが、基地局によって用いられたトーン・サブセット割り当てシーケンスを切り詰めるための再設定ポイントであるか否かを含む。ダウンリンク・トーン情報２４２は、基地局２００に指定されたキャリア周波数、トーンの数および周波数、およびストリップ・シンボル期間に割り当てられるトーン・サブセットのセットを含む情報、およびスロープ、スロープ・インデクス、およびセクタ・タイプなどの他のセルおよびセクタの固有値を含む。
【００１９】
データ２４８は、ＷＴ１  ３００がピア・ノードから受信したデータ、ＷＴ１  ３００がピア・ノードへ送信することを望むデータ、およびダウンリンク・チャネル品質レポート・フィードバック情報を含むことができる。端末ＩＤ２５０は、ＷＴ１  ３００を識別する基地局２００指定ＩＤである。セクタＩＤ２５２は、ＷＴ１  ３００が動作するセクタを識別する情報を含む。セクタＩＤ２５２は、例えばセクタ・タイプを決定するために用いられうる。アップリンク・チャネル情報２５４は、例えばデータに関するアップリンク・トラフィック・チャネル・セグメント、要求のための専用アップリンク制御チャネル、パワー制御、タイミング制御などを用いるために、ＷＴ１  ３００のためのスケジューラ２２６によって割り当てられる情報識別チャネル・セグメントを含む。ＷＴ１  ３００に指定された各アップリンク・チャネルは、それぞれアップリンク・ホッピング・シーケンスに続く１つ以上の論理トーンを含む。ダウンリンク・チャネル情報２５６は、ＷＴ１  ３００へのデータおよび／または情報、例えばユーザ・データのためのダウンリンク・トラフィック・チャネル・セグメントを搬送するために、スケジューラ２２６によって割り当てられたチャネル・セグメントを識別する情報を含む。ＷＴ１  ３００に指定された各ダウンリンク・チャネルは、それぞれダウンリンク・ホッピング・シーケンスに続く１つ以上の論理トーンを含む。モード情報２５８は、ＷＴ１  ３００の動作状態、例えばスリープ、ホールド、オンなどを識別する情報を含む。
【００２０】
通信ルーチン２２２は、様々な通信動作を実行しかつ様々な通信プロトコルを実施するように、基地局２００を制御する。
【００２１】
基地局制御ルーチン２２４は、基本的な基地局機能タスク、例えば信号生成および受信、スケジューリングを実行し、かつストリップ・シンボル期間中にトーン・サブセット割り当てシーケンスを用いて無線端末への信号送信を含むいくつかの実施形態の方法のステップを実施するように、基地局２００を制御するために用いられる。
【００２２】
シグナリング・ルーチン２２８は、その復号器２１２を有する受信機２０２、およびその符号器２１４を有する送信機２０４の動作を制御する。シグナリング・ルーチン２２８は、送信されるデータ２３６および制御情報の生成を制御することに責任がある。トーン・サブセット割り当てルーチン２３０は、実施形態の方法を使用し、かつダウンリンク・ストリップ・シンボル時間情報２４０およびセクタＩＤ２５２を含むデータ／情報２２０を使用して、ストリップ・シンボル期間で使用されるトーン・サブセットを構築する。ダウンリンク・トーン・サブセット割り当てシーケンスは、セル内の各セクタ・タイプについて異なり、かつ隣接セルについて異なる。ＷＴ３００は、ダウンリンク・トーン・サブセット割り当てシーケンスに従うストリップ・シンボル期間内で信号を受信し、基地局２００は、送信される信号を生成するために同一のダウンリンク・トーン・サブセット割り当てシーケンスを使用する。他のダウンリンク・トーン割り当てホッピング・ルーチン２３２は、ダウンリンク・トーン情報２４２、およびストリップ・シンボル期間とは異なるシンボル期間に関するダウンリンク・チャネル情報２５６を含む情報を使用して、ダウンリンク・トーン・ホッピング・シーケンスを構築する。ダウンリンク・データトーン・ホッピング・シーケンスは、セルのセクタを横切って同期化される。ビーコン・ルーチン２３４は、ビーコン信号、例えば１つまたは数個のトーンに集中される比較的高いパワーの信号の送信を制御し、この信号は、同期化目的、例えばダウンリンク信号のフレーム・タイミング構造を同期化し、それによってウルトラスロット境界に対するトーン・サブセット割り当てシーケンスを同期化するために使用されうる。
【００２３】
図３は、図１に示されるシステム１００の無線端末（エンド・ノード）、例えばＥＮ（１）１３６の任意の１つとして使用されうる典型的な無線端末（エンド・ノード）３００を示す。無線端末３００は、トーン・サブセット割り当てシーケンスを実施する。無線端末３００は、復号器３１２を含む受信機３０２、符号器３１４を含む送信機３０４、プロセッサ３０６、およびメモリ３０８を含み、これらは、様々な要素３０２、３０４、３０６、および３０８が、データおよび情報を交換することができるバス３１０によって共に結合される。基地局２００からの信号を受信するために使用されるアンテナ３０３は、受信機３０２に結合される。例えば基地局２００に信号を送信するために使用されるアンテナ３０５が、送信機３０４に結合される。
【００２４】
例えばＣＰＵであるプロセッサ３０６は、無線端末３００の動作を制御し、かつルーチン３２０を実行しかつメモリ３０８内のデータ／情報３２２を使用することによって方法を実施する。
【００２５】
データ／情報３２２は、ユーザ・データ３３４、ユーザ情報３３６、およびトーン・サブセット割り当てシーケンス情報３５０を含む。ユーザ・データ３３４は、基地局２００へ送信機３０４による送信の前に符号化するための符号器３１４へルーティングされるピア・ノードに適したデータ、および受信機３０２内で復号器３１２によって処理された基地局２００から受信されるデータを含むことができる。ユーザ情報３３６は、アップリンク・チャネル情報３３８、ダウンリンク・チャネル情報３４０、端末ＩＤ情報３４２、基地局ＩＤ情報３４４、セクタＩＤ情報３４６、およびモード情報３４８を含む。アップリンク・チャネル情報３３８は、基地局２００への送信時に使用するために、無線端末３００に関して基地局２００によって指定されたアップリンク・チャネル・セグメントを識別する情報を含む。アップリンク・チャネルは、アップリンク・トラフィック・チャネル、専用アップリンク制御チャネル、例えば要求チャネル、パワー制御チャネル、およびタイミング制御チャネルを含むことができる。各アップリンク・チャネルは、それぞれアップリンク・トーン・ホッピング・シーケンスに続く１つ以上の論理トーンを含む。アップリンク・ホッピング・シーケンスは、セルの各セクタ・タイプ間および隣接するセル間で異なる。ダウンリンク・チャネル情報３４０は、ＢＳ２００がＷＴ３００にデータ／情報を送信する場合に使用するために、ＷＴ３００に基地局２００によって指定されたダウンリンク・チャネル・セグメントを識別する情報を含む。ダウンリンク・チャネルは、ダウンリンク・トラフィック・チャネルおよび割り当てチャネルを含むことができ、各ダウンリンク・チャネルは、１つ以上の論理トーンを含み、各論理トーンは、セルの各セクタ間で同期化されるダウンリンク・ホッピング・シーケンスに続く。
【００２６】
ユーザ情報３３６は、識別が指定された基地局２００である端末ＩＤ情報３４２、ＷＴが通信を確立した特定の基地局２００を識別する基地局ＩＤ情報３４４、およびＷＴ３００が現在位置するセルの特定のセクタを識別するセクタＩＤ情報３４６も含む。基地局ＩＤ３４４は、セルスロープ値を提供し、セクタＩＤ情報３４６は、セクタ・インデクス・タイプを提供し、セルスロープ値およびセクタ・インデクス・タイプは、トーン・ホッピング・シーケンスを駆動するために使用されうる。ユーザ情報３３６にも含まれるモード情報３４８は、ＷＴ３００は、スリープモード、ホールドモード、またはオンモードにあるか否かを識別する。
【００２７】
トーン・サブセット割り当てシーケンス情報３５０は、ダウンリンク・ストリップ・シンボル時間情報３５２およびダウンリンク・トーン情報３５４を含む。ダウンリンク・ストリップ・シンボル時間情報３５２は、スーパスロット、ビーコンスロット、ウルトラスロット構造情報などのフレーム同期構造情報、および所与のシンボル期間がストリップ・シンボル期間であるか否かを特定する情報であって、もしそうであれば、ストリップ・シンボル期間のインデクスであり、ストリップ・シンボルが、基地局によって使用されたトーン・サブセット割り当てシーケンスを切り詰めるための再設定ポイントであるか否かを含む。ダウンリンク・トーン情報３５４は、基地局２００に指定されたキャリア周波数、トーンの数および周波数、およびストリップ・シンボル期間に割り当てられるトーン・サブセットのセットを含む情報、およびスロープ、スロープ・インデクス、およびセクタ・タイプなどの他のセルおよびセクタの固有値を含む。
【００２８】
ルーチン３２０は、通信ルーチン３２４および無線端末制御ルーチン３２６を含む。通信ルーチン３２４は、ＷＴ３００によって使用される様々な通信プロコトルを制御する。無線端末制御ルーチン３２６は、受信機３０２および送信機３０４の制御を含む基本的な無線端末３００の機能を制御する。無線端末制御ルーチン３２６は、シグナリング・ルーチン３２８を含む。シグナリング・ルーチン３２８は、ストリップ・シンボル期間のためのトーン・サブセット割り当てルーチン３３０、およびシンボル期間の残り、例えば非ストリップ・シンボル期間のための他のダウンリンク・トーン割り当てホッピング・ルーチン３３２を含む。トーン・サブセット割り当てルーチン３３０は、ダウンリンク・チャネル情報３４０、基地局ＩＤ情報３４４、例えばスロープ・インデクスおよびセクタ・タイプ、およびいくつかの実施形態に従ってダウンリンク・トーン・サブセット割り当てシーケンスを生成するためにダウンリンク・トーン情報３５４を含むユーザ・データ／情報３２２を使用し、かつ基地局２００から送信された受信データを処理する。他のダウンリンク・トーン割り当てホッピング・ルーチン３３０は、ストリップ・シンボル期間以外のシンボル期間に関するダウンリンク・トーン情報３５４およびダウンリンク・チャネル情報３４０を含む情報を用いて、ダウンリンク・トーン割り当てホッピング・シーケンスを構築する。トーン・サブセット割り当てルーチン３３０は、プロセッサ３０６によって実行されるとき、無線端末３００が、基地局２００から１つ以上のストリップ・シンボル信号を受信するとき、およびどのトーンであるかを決定するために使用される。アップリンクトーン割り当てホッピング・ルーチン３３０は、それが送信されるべきトーンを決定するために、基地局２００から受信された情報とともに、トーン・サブセット割り当て関数を用いる。
【００２９】
図４は、図１の各セル（１０２、１０４）の各セクタについて実施される様々な実施形態のＯＦＤＭ拡散スペクトル・エア・インタフェース技術を示す。図４において、横軸４５１は周波数を表す。例えばダウンリンク・シグナリングのための特定のキャリア周波数４５３のための利用可能な帯域幅の全量は、等しく離間されたトーン数Ｋに分割される。いくつかの実施形態において、１１３個の等しく離間されたトーンが存在する。これらトーンは、０からＫ−１までインデクスされる。典型的なトーンであるトーン０  ４５５、トーン１  ４５７、トーン２  ４５９、およびトーンＫ−１  ４６１が図４に示される。帯域幅は、２つのセル１０２、１０４を備える各セクタ１１０、１１２、１１４、１２２、１２４、１２６に同時に用いられる。各セルの各セクタにおいて、トーン０からＫ−１が、ダウンリンク信号を送信するためにそれぞれ各セルの各セクタで使用される。同一の帯域幅が、セル１０２、１０４の両方の各セクタで使用されるので、同時に周波数トーンで異なるセルおよびセクタによって送信される信号は、例えばオーバラップする有効範囲領域、例えばセクタ境界エリア１１６、１１８、１２０、１２８、１３０、１３２、およびセル境界エリア１６８内で互いに干渉することがある。
【００３０】
図５は、図１の各セル（１０２、１０４）の各セクタについて実施される様々な実施形態に従うストリップ・シンボル期間および非ストリップ・シンボル期間を示す典型的な信号フレーム構造を示す。図５において、横軸５０１は時間を示す。時間軸５０１における単位は、シンボル期間、例えばＯＦＤＭ通信システムにおけるＯＦＤＭシンボル期間を表す。各シンボル期間において、図４に示されるＫ個のトーンのセットまたはサブセットが、基地局２００から無線端末３００へのダウンリンク信号を送信するために使用される。ダウンリンク信号を送信する目的でのトーンの割り当ては、異なる割り当て方法または異なるシンボル期間におけるアルゴリズムに従うことができる。典型的な実施形態において、２つの異なるトーン割り当て方法が存在する。第１のトーン割り当て方法では、Ｋ個のトーンのサブセットだけがシンボルにおいて使用され、サブセットは、所定のスケジュール・シーケンスに従ってトーン・サブセットの固定されたセットから選択される。第１のトーン割り当て方法がトーンを割り当てるために使用されるシンボルは、ストリップ・シンボルと呼ばれ、例えば図５において示される５０２、５０６、および５１０である。第２のトーン割り当て方法において、トーン・ホッピング・シーケンスが、論理トーンに対応する物理トーンを決定するために使用され、トーン割り当ては、論理トーンを割り当てることによって行われる。第２のトーン割り当て方法がトーンを割り当てるために使用されるシンボルは、非ストリップ・シンボルと呼ばれ、例えば図５において示される５０４、５０８、および５１２である。一般に、非ストリップ・シンボル期間で使用されるトーンのセットは、所定のスケジュール・シーケンスに従ってトーン・サブセットの固定されたセットの結果からは生じない。様々な実施形態において、ストリップ・シンボルおよび非ストリップ・シンボルに加えて他のシンボル期間、例えばビーコン信号が送信されるシンボル期間が存在することがあることに注目されたい。
【００３１】
図６は、様々な実施形態に従って基地局送信機によって使用されるトーン・サブセットの典型的なセットを示す。簡略化のため、トーンの全数は７に等しい。典型的な実施形態において、トーンの全数は１１３でありうる。縦軸６０１は、トーンのインデクスを示し、トーン・インデクスは、０から６まで存在する。各列は、ストリップ・シンボルで使用されるトーンのサブセットを表す。各列において、黒ボックスは、対応するトーンが所与のトーン・サブセットに含まれることを表す。例えば、列６０２におけるトーン・サブセットは、トーン０、３、６を含み、列６０４におけるトーン・サブセットは、トーン１、４、５を含み、列６０６におけるトーン・サブセットは、トーン２、３、５を含み、列６０８におけるトーン・サブセットは、トーン０、２、６を含み、列６１０におけるトーン・サブセットは、トーン１、４、６を含む。図示において、全体でＮ＝５のトーン・サブセットが存在する。図示において、各トーン・サブセットに含まれるトーン数は同一であり３に等しい。
【００３２】
一般に、各トーン・サブセットのトーン数は、同一または異なりうる。様々な実施形態に従って、任意の２つのトーン・サブセットにおけるトーン数間の差異は、いずれかのトーン・サブセットにおけるトーン数の多くとも２０％である。様々な実施形態に従って、トーン・サブセットに含まれるトーン数は、トーンの全数の半分に近い。例えば、トーン・サブセットに含まれるトーン数とトーンの全数の半分との間の差異は、トーンの全数の半分の多くとも２０％である。
【００３３】
図７は、それぞれ様々な実施形態に従って２つの基地局送信機によって使用される２つの典型的なトーン・サブセット割り当てシーケンスを示す。図示７００は、第１の送信機によって使用されるトーン・サブセット割り当てシーケンスであり、図示７２０は、第２の送信機によって使用されるトーン・サブセット割り当てシーケンスである。
【００３４】
図示７００において、横軸７０３は、時間を示し、時間軸７０１における各単位は、シンボル期間を表す。ストリップ・シンボルにおけるトーンの使用は、縦方向列で示される。他のシンボル期間におけるトーンの使用は、図示されていないが、トーンは、所定のトーン割り当ておよび／またはホッピング方法に従って使用されることが理解される。図示７００は、ストリップ・シンボルにおいて、固定されたトーン・サブセットに含まれるトーンは、ダウンリンク信号を送信するために使用されることを示す。Ｎ＝５の個別トーン・サブセットからなる、図示７００で用いられるトーン・サブセットのセットは、図６に示されるセットである。これらトーン・サブセットは、（６０２に関して）０、（６０４に関して）１、（６０６に関して）２、（６０８に関して）３、および（６１０に関して）４としてインデクスされる。トーン・サブセットは、トーン・サブセット割り当てシーケンスである所定のスケジュールに従ってトーン・サブセットのセットから選択される。特に、トーン・サブセット０は、ストリップ・シンボル７０２で使用され、トーン・サブセット１は、ストリップ・シンボル７０４で使用され、トーン・サブセット２は、ストリップ・シンボル７０６で使用され、トーン・サブセット３は、ストリップ・シンボル７０８で使用され、トーン・サブセット４は、ストリップ・シンボル７１０で使用される。ストリップ・シンボル７１０の後、トーン・サブセット割り当てシーケンスが反復する。したがって、トーン・サブセット０は、ストリップ・シンボル７１２で使用され、トーン・サブセット１は、ストリップ・シンボル７１４で使用され、トーン・サブセット２は、ストリップ・シンボル７１６で使用される等である。
【００３５】
図示７２０において、横軸７２３は、時間を表し、時間軸７２１における各単位は、シンボル期間を表す。ストリップ・シンボルにおけるトーンの使用は、縦方向列で示される。他のシンボル期間におけるトーンの使用は、図示しないが、トーンは、所定のトーン割り当ておよび／またはホッピング方法に従って使用されうることが理解される。図示７２０は、ストリップ・シンボルにおいて、固定されたトーン・サブセットに含まれるトーンが、ダウンリンク信号を送信するために使用されることを示す。図示７２０で使用されるトーン・サブセットのセットは、図示７００で使用される同一のセットである。トーン・サブセットは、トーン・サブセット割り当てシーケンスである所定のスケジュールに従ってトーン・サブセットのセットから選択される。第２の基地局で使用されるトーン・サブセット割り当てシーケンスは、第１の基地局で使用されるトーン・サブセット割り当てシーケンスとは異なる。特に、トーン・サブセット０は、ストリップ・シンボル７２２で使用され、トーン・サブセット２は、ストリップ・シンボル７２４で使用され、トーン・サブセット４は、ストリップ・シンボル７２６で使用され、トーン・サブセット１は、ストリップ・シンボル７２８で使用され、トーン・サブセット３は、ストリップ・シンボル７３０で使用される。ストリップ・シンボル７３０の後、トーン・サブセット割り当てシーケンスが反復する。したがって、トーン・サブセット０は、ストリップ・シンボル７３２で使用され、トーン・サブセット２は、ストリップ・シンボル７３４で使用され、トーン・サブセット４は、ストリップ・シンボル７３６で使用されるなどである。第２の基地局で使用されるトーン・サブセット割り当てシーケンスの期間は、第１の基地局で使用されるトーン・サブセット割り当てシーケンスの期間と同一である。期間は、セットにおけるトーン・サブセットの数に等しい。好ましくは、セットにおけるトーン・サブセットの数は、素数であり、例えばＮ＝９７である。
【００３６】
図示７００および７２０において、２つの基地局が、ストリップ・シンボル７０２および７２２において同一のトーン・サブセットを使用する。２つのストリップ・シンボルが整列されるとき、２つの基地局は、実際に、それらのダウンリンク信号を送信するために同一のトーンを使用し、それによってそれらの間に強い相関した干渉を生じる。有利なことに、トーン・サブセット割り当てシーケンスは、様々な実施形態に従って異なるので、２つの基地局は、以降のストリップ・シンボルで異なるトーン・サブセットを使用し、それによって干渉が永続的に強いことを避ける。２つの基地局は、必ずしも完全に互いに同期化される時間ではないことに留意されたい。
【００３７】
図８は、様々な実施形態に従うフレーム同期構造に適合するように、トーン・サブセット割り当てシーケンスを切り詰める動作を示す。図７に示される図示において、トーン・サブセット割り当てシーケンスは、１つの期間から次の期間へと動作する。いくつかの実施形態において、ダウンリンク信号において他のフレーム同期構造と整列されるために、トーン・サブセット割り当てシーケンスは、切り詰められかつ再開始される。図８は、スーパスロット、ビーコンスロット、およびウルトラスロットを含む典型的なフレーム同期構造を示す。スーパスロットは、固定数のシンボル、例えば１１４個の連続するＯＦＤＭシンボル送信時間間隔を含む。所定のダウンリンク・トーン・ホッピング・シーケンスは、スーパスロットの周期性を有する。ビーコンスロットは、固定数のスーパスロット、例えば８個の連続するインデクスされたスーパスロットを含む。１つの実施形態において、ビーコン信号は、ビーコンスロットで送信される。ウルトラスロットは、固定数のビーコンスロット、例えば１８個の連続するインデクスされたビーコンスロットを含む。
【００３８】
図８において、ウルトラスロット８００は、１８個のビーコンスロット８２２、８２４、８２６、８２８、８３０、８３２、８３４、８３６、８３８、８４０、８４２、８４４、８４６、８４８、８５０、８５２、８５４、８５６を含む。これらのビーコンスロットは、それぞれＬ＝０、１、２、３、４、５、６、７、８、９、１０、１１、１２、１３、１４、１５、１６、１７としてインデクスされる。ビーコンスロット、例えばビーコンスロット８３６は、８個のスーパスロット８０２、８０４、８０６、８０８、８１０、８１２、８１４、８１６を含む。特別なシンボルが、各スーパスロットの始まりで送信される。例えば、スーパスロット８０２において、第１の２つのシンボル８６０が、ビーコン信号を送信するために使用され、スーパスロット８０４および８０６において、第１の２つのシンボル８６４および８６６は、送信されない。スーパスロット８０８、８１０、８１２、８１４、８１６において、第１の２つのシンボル８６８、８７０、８７２、８７４、および８７６は、例えば同報通信および／または制御情報を送るために使用されるストリップ・シンボルである。スーパスロットは、第１の２つの特定のシンボルに加えて他のシンボル、例えばダウンリンク・トラフィック・チャネル・セグメントに含まれるユーザ・データを含むデータ／情報を復元するために使用される１１２個のＯＦＤＭシンボルを含むことができる。ビーコンスロットのタイミング構造は反復する。例えば、２つのシンボル８６２は、第１の２つのシンボル８６０に類似するビーコン信号を送信するために使用される。
【００３９】
図８の典型的な実施形態のビーコンスロットにおけるストリップ・シンボルはｍ＝０、１、・・・、９としてインデクスされる。例えば、ビーコンスロットにおける第１のストリップ・シンボル８８０はｍ＝０としてインデクスされ、ビーコンスロットにおける第２のストリップ・シンボル８８２はｍ＝１としてインデクスされる。
【００４０】
典型的な実施形態において、トーン・サブセット割り当てシーケンスは、以下のように与えられる。
【００４１】
ｆ（ｂｓｓＳｌｏｐｅＩｎｄｅｘ，ｂｓｓＳｅｃｔｏｒＴｙｐｅ，ｋ）＝（ｂｓｓＳｌｏｐｅＩｎｄｅｘ＋１）／（ｂｓｓＳｅｃｔｏｒＴｙｐｅ＊ｋ＋ｋ２）は、ストリップ・シンボルｋにおいて選択されるべきトーン・サブセットのインデクスを表す。ここで、全ての算術演算子（＋，２，＊，／）は、Ｎの領域で規定され、Ｎは素数であり、例えば、Ｎ＝９７である。
【００４２】
ｂｓｓＳｌｏｐｅＩｎｄｅｘは、セルスロープ値のインデクスであり、好ましくはセルの各セクタについて同一であり、隣接セルは、ｂｓｓＳｌｏｐｅＩｎｄｅｘに関して異なる値を有するべきである。パラメータｂｓｓＳｌｏｐｅＩｎｄｅｘは、０，１，・・・，Ｎ１−１に等しい。ここで、Ｎ１≦Ｎである。１つの実施形態において、Ｎ１＝９６である。
【００４３】
ｂｓｓＳｅｃｔｏｒＴｙｐｅは、セクタのインデクスである。セクタ・タイプＴが、セット{０，１，・・・，５}、{０，１}または{０，１，２}にあり、所与の基地局における隣接セクタは、Ｔの異なる値を有するべきである。  
ｆは、基地局のセクタにおける特定の関数である。  
ｋは、ストリップ・シンボル期間のインデクスであり、ｋ＝Ｌ＊１０＋ｍである。
【００４４】
わずかに異なる形式で表現され、  
ｋ＝Ｌ＊１０＋ｍ  
ｔｅｍｐ０＝ｂｓｓＳｅｃｔｏｒＴｙｐｅ＊ｋ＋ｋ＊ｋ  
ｔｅｍｐ１＝ｉｍｏｄ（ｔｅｍｐ０、Ｎ）  
ｆ（ｂｓｓＳｌｏｐｅＩｎｄｅｘ、ｂｓｓＳｅｃｔｏｒＴｙｐｅ，ｋ）＝ｍｏｄ（ｔｅｍｐ１＊（ｂｓｓＳｌｏｐｅＩｎｄｅｘ＋１），Ｎ）であり、  
ここで、整数ｘおよびｍに関して、モジュロ関数ｍｏｄ（ｘ，ｍ）は、ｍｏｄ（ｘ，ｍ）＝ｘ−ｍ＊ｆｌｏｏｒ（ｘ／ｍ）として定義され、ここで関数ｆｌｏｏｒ（ｘ）は、ｘ以下の最大の整数として定義され、整数ｘおよびｍに関して、逆モジュロ関数ｉｍｏｄ（ｘ，ｍ）は、ｙに等しく、ここでｍｏｄ（ｘ＊ｙ，ｍ）が１に等しいなら１≦ｙ≦ｍである。ｍｏｄ（ｘ，ｍ）がゼロであるなら、ｉｍｏｄ（ｘ，ｍ）は、０に設定される。
【００４５】
時間インデクスｋが、０から無限大になることができるなら、上記トーン・サブセット割り当てシーケンスは、Ｎ個のストリップ・シンボルの自然期間を有する。
【００４６】
しかしながら、ダウンリンク信号のフレーム・タイミング構造と適合するために、ｋは０からＰ−１に進む。なお、典型的な実施形態においてＰ＝１８０である。言い換えれば、トーン・サブセット割り当てシーケンスは、第１の自然期間に関してｋ＝０からｋ＝９６（＝Ｎ−１）について動作し、ｋ＝９７から再び始まる。第２の自然期間が、ｋ＝１９３（２＊Ｎ−１）で自然に終了する前に、時間インデクスは、ｋ＝１７９で停止し、ｋ＝０に再設定する。結果として、第２の期間は切り詰められ、トーン・サブセット割り当てシーケンスは、始まりから再開始する。
【００４７】
これは、図８の下側部分に示される。第１のウルトラスロット８９１および第２のウルトラスロット８９２は、互いに並ぶ。時間瞬間８９０は、２つのウルトラスロット間の境界である。トーン・サブセット割り当てシーケンスは、ｋ＝０の場合に第１のウルトラスロット８９１の先頭から始まり、ｋ＝９６である場合に第１のウルトラスロット８９１内に位置する、時間瞬間８９４のシーケンスの第１の自然期間８９３で完了する。トーン・サブセット割り当てシーケンスは、ｋ＝９７から第２の期間を開始するように続く。第２の期間８９５は、第１のウルトラスロットが終了した後の時間瞬間で完了する。しかしながら、ｋは、第１のウルトラスロットが終了するとき再設定され、第２のウルトラスロットは、第２の期間８９５が切り詰められる時間瞬間８９０で開始し、トーン・サブセット割り当てシーケンスは、第２の期間８９５を完了するように連続するよりむしろｋ＝０から再開始される。
【００４８】
ウルトラスロット、ビーコンスロット、スーパスロットなどの上記フレーム・タイミング構造が、ウルトラスロット毎に繰り返す。
【００４９】
図９は、様々な実施形態に従って実施された典型的なトーン・サブセット割り当てモジュール９００の図である。基地局は、エア・インタフェースを介するネットワーク接続を得るための無線端末のためのネットワーク・アクセス・ポイントである。基地局は、１つまたは複数の基地局セクタ（ＢＳＳ）を含む。ＢＳＳは、基地局の一部である。全ＢＢＳは、基地局に対応する全セルにおける無線端末にサービスを提供する。指向性ＢＢＳは、セルのサブセット部分、例えばセルのセクタ内の無線端末と通信するために、特定の方向のアンテナを使用することができる。
【００５０】
モジュール９００は、基地局または無線端末の一部として含まれることができ、ＢＳＳに対応するセルのセクタ内で使用されるべきであるトーン・サブセット割り当てパターンを決定するために使用される。典型的なトーン・サブセット割り当てモジュール９００は、トーン・サブセット割り当て決定モジュール９０２、セル識別マッピング・モジュール９０４、セクタ識別マッピング・モジュール９０６、および時間インデクス・マッピング・モジュール９０８を含む。
【００５１】
ＢＳは、ＢＳＳスロープ９１２に関連付けられるＢＳ識別子を有することができる。セルの異なるセクタは、いくつかの実施形態において、同一のＢＳＳスロープ９１２を使用する。通信システムにおける所与のＢＳＳは、対応するＢＳＳスロープ９１２およびＢＳＳセクタＩＤ９１４を有する。セルＩＤマッピング・モジュール９０４は、ｂｓｓＳｌｏｐｅＩｎｄｅｘ値９１６にＢＳＳスロープ９１２をマッピングする。同一のセルに対応する複数のＢＳＳは、ｂｓｓＳｌｏｐｅＩｎｄｅｘに関して同一の値を有する。隣接するセルは、ｂｓｓＳｌｏｐｅＩｎｄｅｘの異なる値を有する。
【００５２】
セルＩＤマッピング・モジュール９０４は、例えばルックアップ・テーブルを介して、ＢＳＳスロープ９１２をｂｓｓＳｌｏｐｅＩｎｄｅｘ値９１６への変換を実行する。いくつかの実施形態において、有効なｂｓｓＳｌｏｐｅＩｎｄｅｘのセットは、０：９５の範囲内の整数値である。
【００５３】
ＢＳＳは、関連付けられたＢＳＳセクタ識別子９１４も有する。セルの各セクタは、異なるＢＳＳセクタ識別子９１４を有する。同一ＢＳの異なるＢＳＳは、同一のｂｓｓＳｅｃｔｏｒＴｙｐｅ９１８を有することができる。しかしながら、好ましい実施形態において、同一ＢＳの隣接するＢＳＳは、同一のｂｓｓＳｅｃｔｏｒＴｙｐｅを有さない。セクタＩＤマッピング・モジュール９０６は、ＢＳＳセクタＩＤ９１４をｂｓｓＳｅｃｔｏｒＴｙｐｅ値９１８にマッピングする。いくつかの実施形態において、ｂｓｓＳｅｃｔｏｒＴｙｐｅ値＝ｍｏｄ（ＢＳＳセクタＩＤ，３）である。いくつかのそのような実施形態において、ＢＳＳセクタＩＤは、０・・５の範囲内の整数値であり、一方ｂｓｓＳｅｃｔｏｒＴｙｐｅは、０・・２の範囲内の整数値である。
【００５４】
いくつかの実施形態において、通信システムにおける所与のＢＳＳに関して、ｂｓｓＳｌｏｐｅＩｎｄｅｘ９１６およびｂｓｓＳｅｃｔｏｒＴｙｐｅ９１８のための値は固定され、時間とともに変わらない。
【００５５】
いくつかのそのような実施形態において、その接続点としてＢＳＳを使用することを望む無線端末は、ＢＳＳに対応するｂｓｓＳｌｏｐｅＩｎｄｅｘ値およびｂｓｓＳｅｃｔｏｒＴｙｐｅ値を決定し、次にトーン・サブセット割り当てシーケンスを計算するためにこれらの値を用いる。
【００５６】
時間インデクス・マッピング・モジュール９０８は、タイミング構造情報９１０を含む。タイミング構造情報９１０は、各ＢＳＳと関連するダウンリンク構造情報、例えばＯＦＤＭシンボル・タイミング、およびスーパスロット、ビーコンスロット、ウルトラスロットなどのＯＦＤＭシンボルの様々なグルーピング、ならびにグルーピングに関連するインデクス情報を識別する。タイミング構造情報９１０は、ＯＦＤＭシンボルがストリップ・シンボルか否かも決定する。時間インデクス・マッピング・モジュール９０８は、現在のダウンリンクｄｌＵｌｔｒａｓｌｏｔＢｅａｃｏｎＩｎｄｅｘ値９２２および現在のビーコンスロット値９２４内の現在のストリップ・シンボル・インデクスを受信し、時間依存値ｋ９２０を決定する。例えば、ｋは、０・・１７９の範囲内の整数値であり得る。現在のｄｌＵｌｔｒａｓｌｏｔＢｅａｃｏｎＩｎｄｅｘ値９２２は、ＢＳＳに対応するダウンリンク・タイミング構造内の現在のウルトラスロット内の現在のビーコンスロット・インデクスを識別する。いくつかの実施形態において、ｄｌＵｌｔｒａｓｌｏｔＢｅａｃｏｎＩｎｄｅｘの値は、０から１７におよぶ整数値である。現在のビーコンスロット値９２４内の現在のストリップ・シンボル・インデクスは、ダウンリンク・タイミング構造内の現在のビーコンスロット内の現在のストリップ・シンボルを識別する。いくつかの実施形態においてインデクス９２４の値は０から９におよぶ。
【００５７】
トーン・サブセット割り当てシーケンス決定モジュール９０２は、制御入力ｂｓｓＳｌｏｐｅＩｎｄｅｘ値９１６、ｂｓｓＳｅｃｔｏｒＴｙｐｅ９１８、および時間インデクスｋ値９２０を受信する。決定モジュール９０２は、現在のストリップ・シンボルで使用されるべきトーン・サブセット９２８の対応するインデクスを決定する。いくつかの実施形態において、インデクスは、０から９６の範囲内の整数値である。
【００５８】
いくつかの実施形態において、時間インデクス・マッピング・モジュール９０８は、式ｋ＝Ｌ＊１０＋ｍを使用してｋを決定し、ここでＬは、０から１７の範囲の整数値であるｄｌＵｌｔｒａｓｌｏｔＢｅａｃｏｎＩｎｄｅｘであり、ｍは、０から９の範囲の整数値である現在のビーコンスロット内の現在のストリップ・シンボルのインデクスである。いくつかのそのような実施形態において、トーン・サブセット割り当てシーケンス決定モジュール９０２は、ｆ（ｂｓｓＳｌｏｐｅＩｎｄｅｘ、ｂｓｓＳｅｃｔｏｒＴｙｐｅ，ｋ）＝ｍｏｄ（ｔｅｍｐ１＊（ｂｓｓＳｌｏｐｅＩｎｄｅｘ＋１），９７）を使用し、ここで、ｔｅｍｐ１＝ｉｍｏｄ（ｔｅｍｐ０，９７）、ここでｔｅｍｐ０＝ｂｓｓＳｅｃｔｏｒＴｙｐｅ＊ｋ＋ｋ＊ｋである。
【００５９】
図１０Ａ、図１０Ｂ、図１０Ｃ、図１０Ｄ、図１０Ｅ、図１０Ｆ、および図１０Ｇの組み合わせからなる図１０は、典型的な実施形態において、ストリップ・シンボル間隔で用いるために割り当てられた典型的なトーン・サブセットのセットの表１０００である。第１の列１００２は、０から９６におよぶトーン・サブセット・インデクスを含む。第２の列１００４は、各トーン・サブジェクト・インデクス値に対応するトーン・マスクを含む。所与のＯＦＤＭストリップ・シンボルのために使用されるべきトーン・サブジェクト・インデクス値は、例えばトーン・サブセット割り当てシーケンス決定モジュール９０２によって決定される。この典型的な実施形態において、基地局セクタ接続点に対応するダウンリンク・トーン・ブロックは、１１３個のＯＦＤＭトーンを使用する。トーン・マスクは、どのトーンがトーン・サブセットで使用されるべきかを識別する。トーン・サブセット・インデクスに対応する各エントリは、１１３個の値を列挙しており、各値は、ダウンリンク・トーン・ブロックにおける１１３個のトーンのセットがインデクスされたトーンに対応している。値が０であればトーンは使用されない。値が１であればトーンは使用される。例えば、インデクスが０であるトーン・サブセットを考慮し、インデクス値が２、５、９、１０、１２、１３、１６、１７、１８、２０、２４、２９、３０、３４、３５、３６、３８、３９、４３、４４、４５、４７、４９、５２、５３、５４、５５、５７、５８、５９、６０、６１、６３、６４、６７、６９、７０、７３、７４、７６、７７、７８、８０、８５、８８、８９、９０、９２、９４、１００、１０１、１０２、１０３、１０８、１０９、１１０を有するトーンが使用され、一方、インデクス値が０、１、３、４、６、７、８、１１、１４、１５、１９、２１、２２、２３、２５、２６、２７、２８、３１、３２、３３、３７、４０、４１、４２、４６、４８、５０、５１、５６、６２、６５、６６、６８、７１、７２、７５、７９、８１、８２、８３、８４、８６、８７、９１、９３、９５、９６、９７、９８、９９、１０４、１０５、１０６、１０７、１１１、および１１２を有するトーンが使用されない。いくつかの実施形態において、ＤＣトーン、例えばトーン・インデクス５６を有するトーン・ブロック内の中央トーンは、トーン・マスクが、使用されるべきであることを示していても、使用されないままである。
【００６０】
図１１は、様々な実施形態に従って基地局接続点に関連付けられたダウンリンク・トーン・ブロックの使用に対する典型的な反復タイミング構造を示す図１１００である。典型的なタイミング構造は、典型的な反復第３の時間期間１１０２を含む。
【００６１】
典型的な第３の時間期間１１０２は、連続する順番に、典型的な時間期間（１１０４、１１０６、１１０８、１１１０、１１１２、１１１４、１１１６、１１１８、１１２０、１１２２、１１２４、１１２６、１１２８、１１３０、１１３２、１１３４、１１３６、１１３８、１１４０、１１４２、１１４４）を含む。典型的な第４の時間期間１１０４は、ビーコン信号を搬送するために使用されるようにスケジューリングされる。典型的な第２の時間期間１１０６は、ユーザ・データを搬送するために使用されるようにスケジューリングされる。典型的な第４の時間期間１１０８は、使用されないままであるようにスケジューリングされる。典型的な第２の時間期間１１１０は、ユーザ・データを搬送するために使用されるようにスケジューリングされる。典型的な第４の時間期間１１１２は、使用されないままであるようにスケジューリングされる。典型的な第２の時間期間１１１４は、ユーザ・データを搬送するために使用されるようにスケジューリングされる。典型的な第４の時間期間１１１６は、決定された非ヌル・トーン・サブセットを使用して同報通信制御情報を搬送するために使用されるようにスケジューリングされ、かつ決定されたヌル・トーン・サブセット上でヌル・トーンを搬送するようにスケジューリングされ、トーン・サブセットは、トーン・サブセット・ホッピング・シーケンスに従って決定される。典型的な第１の時間期間１１１８は、決定された非ヌル・トーン・サブセットを使用して同報通信制御情報を搬送するために使用されるようにスケジューリングされ、かつ決定されたヌル・トーン・サブセット上でヌル・トーンを搬送するようにスケジューリングされ、トーン・サブセットは、トーン・サブセット・ホッピング・シーケンスに従って決定される。典型的な第２の時間期間１１２０は、ユーザ・データを搬送するために使用されるようにスケジューリングされる。典型的な第１の時間期間１１２２は、決定された非ヌル・トーン・サブセットを使用して同報通信制御情報を搬送するために使用されるようにスケジューリングされ、かつ決定されたヌル・トーン・サブセット上でヌル・トーンを搬送するようにスケジューリングされ、トーン・サブセットは、トーン・サブセット・ホッピング・シーケンスに従って決定される。典型的な第１の時間期間１１２４は、決定された非ヌル・トーン・サブセットを使用して同報通信制御情報を搬送するために使用されるようにスケジューリングされ、かつ決定されたヌル・トーン・サブセット上でヌル・トーンを搬送するようにスケジューリングされ、トーン・サブセットは、トーン・サブセット・ホッピング・シーケンスに従って決定される。典型的な第２の時間期間１１２６は、ユーザ・データを搬送するために用いられるようにスケジューリングされる。典型的な第１の時間期間１１２８は、決定された非ヌル・トーン・サブセットを使用して同報通信制御情報を搬送するために用いられるようにスケジューリングされ、かつ決定されたヌル・トーン・サブセット上でヌル・トーンを搬送するようにスケジューリングされ、トーン・サブセットは、トーン・サブセット・ホッピング・シーケンスに従って決定される。典型的な第１の時間期間１１３０は、決定された非ヌル・トーン・サブセットを使用して同報通信制御情報を搬送するために使用されるようにスケジューリングされ、かつ決定されたヌル・トーン・サブセット上でヌル・トーンを搬送するようにスケジューリングされ、トーン・サブセットは、トーン・サブセット・ホッピング・シーケンスに従って決定される。典型的な第２の時間期間１１３２は、ユーザ・データを搬送するために使用されるようにスケジューリングされる。典型的な第１の時間期間１１３４は、決定された非ヌル・トーン・サブセットを使用して同報通信制御情報を搬送するために使用されるようにスケジューリングされ、かつ決定されたヌル・トーン・サブセット上でヌル・トーンを搬送するようにスケジューリングされ、トーン・サブセットは、トーン・サブセット・ホッピング・シーケンスに従って決定される。典型的な第１の時間期間１１３６は、決定された非ヌル・トーン・サブセットを使用して同報通信制御情報を搬送するために使用されるようにスケジューリングされ、かつ決定されたヌル・トーン・サブセット上でヌル・トーンを搬送するようにスケジューリングされ、トーン・サブセットは、トーン・サブセット・ホッピング・シーケンスに従って決定される。典型的な第２の時間期間１１３８は、ユーザ・データを搬送するために使用されるようにスケジューリングされる。典型的な第１の時間期間１１４０は、決定された非ヌル・トーン・サブセットを使用して同報通信制御情報を搬送するために使用されるようにスケジューリングされ、かつ決定されたヌル・トーン・サブセット上でヌル・トーンを搬送するようにスケジューリングされ、トーン・サブセットは、トーン・サブセット・ホッピング・シーケンスに従って決定される。典型的な第１の時間期間１１４２は、決定された非ヌル・トーン・サブセットを使用して同報通信制御情報を搬送するために用いられるようにスケジューリングされ、かつ決定されたヌル・トーン・サブセット上でヌル・トーンを搬送するようにスケジューリングされ、トーン・サブセットは、トーン・サブセット・ホッピング・シーケンスに従って決定される。典型的な第２の時間期間１１４４は、ユーザ・データを搬送するために使用されるようにスケジューリングされる。
【００６２】
１つの典型的な実施形態において、第３の時間期間は、ウルトラスロットに対応し、第４の時間期間は、ビーコン信号送信および意図的な送信機ダウンリンク・トーン・ブロック非送信の１つが生じるようにスケジューリングされる、２つの連続するＯＦＤＭシンボル送信時間期間の間隔に対応し、かつ第１のタイプの時間間隔は、非ビーコン同報通信制御信号を運ぶストリップ・シンボルの送信のためにスケジューリングされる単一のＯＦＤＭシンボルの広い間隔に対応する。反復構造における連続する第１の時間期間は、第１のトーン・セット・ホッピング・シーケンスに従って同報通信制御信号を搬送するために異なるトーン・サブセットを使用する。
【００６３】
例えば、図８の１つの典型的な実施形態において、ウルトラスロットは、それぞれ９１２個のＯＦＤＭシンボル時間期間幅である１８個のインデクスされたビーコンスロットを含む１６４１６個の連続するＯＦＤＭシンボル時間期間を含む。各インデクスされたビーコンスロットは、３／４の間隔を含み、各第４の間隔は、２個のＯＦＤＭシンボル時間期間幅であり、１／４の間隔は、ビーコン信号を搬送し、２／４の間隔は、意図的なトーン・ブロック・ヌルを有する。各インデクスされたビーコンスロットは、１０個の第１の期間も含み、各第１の期間は、ストリップ・シンボルを搬送するために使用されるＯＦＤＭシンボル送信時間期間幅であり、第１の期間は、一度に２つのグループにされる（ｍ＝（０，１）、（２，３）、（４、５）、（６、７）、（８、９）である図８を参照）。それぞれインデクスされたビーコンスロットは、８個の第２の時間期間も含み、各第２の時間期間は、１１２個のＯＦＤＭシンボル幅であり、ユーザ・データを含む１１２個のＯＦＤＭシンボルを搬送するようにスケジューリングされる。
【００６４】
図８の実施例において、第１のトーン・サブセット・ホッピング・シーケンスは、第１の時間期間に関する制御信号を搬送するために使用されるべき９７個の異なる所定のトーン・サブセットを有する。図１０は、ホッピング・シーケンスで使用されるべき９７個の異なる所定のトーン・サブセットの実施例を提供する。しかしながら図８の典型的なウルトラスロットは、１８０個の第１の時間期間を含む。このようにウルトラスロットは、第１のトーン・セット・ホッピング・シーケンスの１回の反復を含み、ｋ＝０から９６に対応する各９７個のインデクスされたトーン・サブセット、およびｋ＝９７から１７９に対応する第１のトーン・セット・ホッピング・シーケンスの第２の反復の一部が、一度使用される。第１のトーン・サブセット・ホッピング・シーケンスの異なる所定のトーン・サブセットの順番は、セルおよび／またはセクタ識別子の関数である。図７は、例えばセルおよび／またはセクタ識別子情報の関数として、２つの異なるベース送信機のための２つの異なる第１のトーン・サブセット・ホッピング・シーケンスの概念を示す。
【００６５】
図１２は、情報を通信するためにトーンのブロック、例えば１１３個のトーンのダウンリンク・トーン・ブロックを使用する通信デバイス、例えば基地局を動作する典型的な方法のフローチャート１２００を示す。動作は、通信デバイスがパワーオンされかつ初期化されるステップ１２０２で開始する。この動作は、開始ステップ１２０２からステップ１２０４へ進む。
【００６６】
ステップ１２０４において、通信デバイスは、第３の時間期間の間に通信されるべきヌル・トーン、非ヌル・トーン、および信号を決定し、例えば反復基準で信号を送信する。例えば、第３の時間期間は、通信デバイスによって使用される反復タイミング構造におけるウルトラスロットであり得る。ステップ１２０４は、サブステップ１２０６、１２０８、１２１０、１２１２、１２１４、１２１６、１２１８、１２２０、および１２２２を含んでいる。
【００６７】
サブステップ１２０６において、通信デバイスは、第３の時間期間内の現在のシンボル時間が、第１、第２、または第４の時間期間に対応するか否かを決定する。現在のシンボル時間期間が、第４の時間期間に対応するならば、動作は、サブステップ１２０６からサブステップ１２０８へ進む。現在のシンボル時間期間が、第１の時間期間に対応するならば、動作は、サブステップ１２０６からサブステップ１２１４へ進む。現在のシンボル時間期間が、第２の時間期間に対応するならば、動作は、サブステップ１２０６からサブステップ１２１６へ進む。
【００６８】
サブステップ１２０８において、通信デバイスは、ビーコン送信がトーン・ブロック内で送信されるようにスケジューリングされるか否かを決定する。ビーコンが、現在のシンボル時間に対応してスケジューリングされるなら、動作は、サブステップ１２０８からサブステップ１２１０へ進む。ビーコンが、現在のシンボル時間に対応してスケジューリングされていないのであれば、動作は、サブステップ１２０８からサブステップ１２１２へ進む。サブステップ１２１０において、通信デバイスは、第４の反復時間期間、例えばビーコン信号およびトーン・ブロック・ヌルの１つに関して確保された２つの連続するＯＦＤＭシンボル送信時間間隔の時間期間中に、第２の反復時間期間中に送信される任意のトーンより高いトーン信号当たりのエネルギ・レベルを有する狭帯域ビーコン・トーンを送信する。サブステップ１２１２において、通信デバイスは、第４の反復時間期間の間に、該トーン・ブロックへの送信を停止する。動作は、サブステップ１２１０またはサブステップ１２１２からサブステップ１２２２へ進む。
【００６９】
いくつかの実施形態において、通信システム内の異なる基地局接続点は、例えばセルおよび／またはセクタ識別子の関数として、ビーコン信号を搬送するために第３の時間期間内で異なる第４の時間期間を使用している。例えば、１つの典型的な３つのセクタ実施形態において、第３の時間期間は、２４個のインデクスされた第４の時間期間を含む。例えば、セクタ・タイプ０の接続点は、ビーコン信号を搬送するためにインデクス０、３、６、９、１２、１５、１８、２１を有する第４の時間期間を使用し、かつトーン・ブロックに対するインデクス１、２、４、５、７、８、１０、１１、１３、１４、１６、１７、１９、２０、２２、２３を有する第４の時間期間の間の送信を停止する。セクタ・タイプ１の接続点は、ビーコン信号を搬送するためにインデクス１、４、７、１０、１３、１６、１９、２２を有する第４の時間期間を使用し、かつトーン・ブロックに対するインデクス０、２、３、５、６、８、９、１１、１２、１４、１５、１７、１８、２０、２１、２３を有する第４の時間期間の間の送信を停止する。セクタ・タイプ２の接続点は、ビーコン信号を搬送するためにインデクス２、５、８、１１、１４、１７、２０、２３を有する第４の時間期間を使用し、かつトーン・ブロックに対するインデクス０、１、３、４、６、７、９、１０、１２、１３、１５、１６、１８、１９、２１、２２を有する第４の時間期間の間の送信を停止する。
【００７０】
サブステップ１２１４において、第１の反復時間期間、例えば１つのＯＦＤＭシンボル時間間隔の持続期間のストリップ・シンボル時間期間について、通信デバイスは、第１のトーン・ホッピング・シーケンスに従って、パワーが送信されるべきでないトーン・サブセット、および非ゼロ変調シンボルが送信されるべきであるトーン・サブセットを決定し、パワーが送信されるべきでない該決定されたトーン・サブセットは、該トーン・サブセット内のトーンの少なくとも３０パーセントを含み、変調シンボルが送信されるべきである該決定されたトーン・サブセットは、使用されるべき複数の所定のトーン・サブセットの１つである。
【００７１】
いくつかの実施形態において、第３の時間期間における所与の第１の時間期間に関して、決定されたヌル・トーンのサブセットと非ヌル・トーンのサブセットの組み合わせは、基地局接続点に関するトーン・ブロックトーンのセット、例えば基地局接続点に関するダウンリンク・トーン・ブロックトーンのセットである、図１０は、ヌル・トーンの９７個の異なるサブセットおよび非ヌル・トーンの９７個の異なるサブセットに対応する典型的なトーン・サブセット情報を含む。ヌルおよび非ヌル・トーンの混合を使用することによって、信号送信された第１の時間期間は、チャネル推定を実行するために受信機、例えば無線端末受信機によって使用されうる。さらに、同報通信制御情報は、第１の時間期間の間に通信される非ヌル変調シンボルの値によって通信される。
【００７２】
第３の時間期間における所与の第１の時間期間に対応するトーン・サブセットは、いくつかの実施形態において、セル、セクタ識別子、および／または通信デバイスの接続点に対応するトーン・ブロック、およびタイミング構造内のＯＤＦＭシンボル時間の関数として決定される。例えば、隣接セルおよびまたはセクタに対応する接続点は、トーンの同一のサブセットを使用して異なるトーン・ホッピング・シーケンスを使用する。図９は、典型的なトーン・ホッピング決定を記載する。
【００７３】
動作は、サブステップ１２１４からサブステップ１２１８へ進む。サブステップ１２１８において、通信デバイスは、サブステップ１２１４から決定されたトーン・サブセットに従ってＯＦＤＭシンボルを生成する。動作は、サブステップ１２１８からサブステップ１２２０へ進む。サブステップ１２２０において、通信デバイスは、ステップ１２１８から生成されたＯＦＤＭシンボルを送信する。動作は、サブステップ１２２０からサブステップ１２２２へ進む。
【００７４】
サブステップ１２１６において、通信デバイスは、第２の反復時間期間、例えばユーザ・データを搬送するために使用される１１２個の連続するＯＦＤＭシンボル時間間隔中、通信デバイスは、情報を送信するためにトーンのブロックを使用し、トーン・ブロックのトーンの少なくとも７０パーセントは、第２の時間期間の間に非ゼロ変調シンボルを通信するために利用可能である。例えば、第２の時間期間の間に、ダウンリンク・トラフィック・チャネル信号が、いくつかの制御信号に加えて通信される。サブステップ１２１６において、いくつかの実施形態において、論理チャネル・トーンは、第１の時間期間に適用可能なトーン・サブセット・ホッピングとは異なる、トーン・ホッピングスキーマに従って物理トーンにホッピングされる。いくつかのそのような実施形態において、第２の時間期間に適用可能なトーン・ホッピングと第１の時間期間に適用可能なトーン・サブセット・ホッピングの両方は、ホッピング、例えばトーン・ホッピング、トーン・サブセット・ホッピングを決定するための入力としてセルおよび／またはセクタ識別子情報を利用する。例えば、異なる式が、同一の基地局セクタ接続点についてのホッピングに対する第１および第２の時間期間の間に使用される。動作は、サブステップ１２１６からサブステップ１２２２へ進む。
【００７５】
サブステップ１２２２において、通信デバイスは、第３の時間期間内のシンボル時間インデクスを更新する。例えば、１つの実施形態において、動作が、サブステップ１２１０または１２２２を介してサブステップ１２２２へ進むなら、インデクスは、２個のＯＦＤＭシンボル送信時間期間によって更新され、動作が、サブステップ１２１４を介してサブステップ１２２２へ進むなら、インデクスは、１個のＯＦＤＭシンボル送信時間期間によって更新され、動作が、サブステップ１２１６を介してサブステップ１２２２へ進むのであれば、インデクスは、１１２個のＯＦＤＭシンボル送信時間期間によって更新される。様々な実施形態において、インデクスが、第３の時間期間が完了する場合、次の連続する第３の時間期間、例えばウルトラスロットについて開始するように、更新は、変調計算を使用する。動作は、サブステップ１２２２からサブステップ１２０６へ進む。
【００７６】
様々な実施形態において、第２の反復時間期間は、第１の反復時間期間の持続期間の少なくとも１０倍の持続期間を有する。いくつかの実施形態において、第２の時間期間は、第１の時間期間の持続期間の５０倍より長い持続期間を有する。いくつかの実施形態において、第２の時間期間は、第１の時間期間の持続期間の１００倍より長い持続期間を有する。いくつかの実施形態において、第２の時間期間は、ユーザ・データ送信期間に対応するので、第１の時間期間と第２の時間期間との間の平衡、およびユーザ・データが通信されない第１および第４の時間期間等の時間期間のタイミング構造内の位置は、例えば音声アプリケーションなどの特定に低いレイテンシを必要とするアプリケーションにおいて、ユーザの見方から途切れないユーザ・データ通信を達成することに、重要な考慮を要しうる。いくつかの実施形態において、第４の時間期間が、同期化、例えばフレーム同期化を実行する無線端末によって使用されるビーコン信号を搬送するために使用されるので、典型的な第３の時間期間は、第４の時間期間で始まる。
【００７７】
様々な実施形態において、第１の時間期間について、第１のセットトーン・ホッピング・シーケンスは、複数の所定のトーン・サブセットのどれが使用されるかを決定する。例えば、所与の基地局接続点についての反復タイミング構造における所与の第１の時間期間に関する第１のセットトーン・ホッピング・シーケンスは、図１０の表１０００の９７個の列の１つに対応するトーン・サブセット情報を使用することを決定する。様々な実施形態において、無線通信システムにおける異なる隣接する基地局接続点は、異なる第１の時間期間トーン・サブセット・ホッピング・シーケンスを用いる。
【００７８】
様々な実施形態において、第１および第２の時間期間は、所定の基準で反復する第３の時間期間内で生じ、第１の時間期間内のＯＦＤＭシンボル送信時間期間は、モジュラ増分インデクスを使用してインデクスされ、第１のトーン・セットホッピング・シーケンスは、モジュラ増分インデクスの関数である。例えば、典型的なウルトラスロットは、１８０個のインデクスされた第１の時間期間を含むことができるが、第１のトーン・セットホッピング・シーケンスは、ウルトラスロット内の９８番目の第１の時間期間で反復を始める。
【００７９】
様々な実施形態において、ヌル・トーン・サブセットおよび非ヌル・トーン・サブセットの少なくとも１つに対応する所定のトーン・サブセットの数は、素数である。図１０の実施例において、素数は９７である。
【００８０】
１つの典型的な実施形態において、しばしばトーン・サブセット・ホッピング・シーケンスとも称されるトーン・サブセット割り当てシーケンスは、以下のように与えられる。
【００８１】
ｆ（ｂｓｓＳｌｏｐｅＩｎｄｅｘ，ｂｓｓＳｅｃｔｏｒＴｙｐｅ，ｋ）＝（ｂｓｓＳｌｏｐｅＩｎｄｅｘ＋１）／（（ｂｓｓＳｅｃｔｏｒＴｙｐｅ＊ｋ＋ｋ２）は、ストリップ・シンボルｋにおいて選択されるべきトーン・サブセットのインデクスを表し、ここで、各算術演算子（＋，２，＊，／）は、Ｎの領域で規定され、Ｎは素数であり、例えば、Ｎ＝９７である。  
ｂｓｓＳｌｏｐｅＩｎｄｅｘは、セルスロープ値のインデクスであり、好ましくはセルの各セクタについて同一であり、隣接セルは、ｂｓｓＳｌｏｐｅＩｎｄｅｘに関して異なる値を有するべきである。パラメータｂｓｓＳｌｏｐｅＩｎｄｅｘは、０，１，・・・，Ｎ１−１に等しく、ここで、Ｎ１≦Ｎである。１つの実施形態において、Ｎ１＝９６である。  
ｂｓｓＳｅｃｔｏｒＴｙｐｅは、セクタのインデクスである。例えば、セクタ・タイプＴが、セット{０，１，・・・，５}、{０，１}または{０，１，２}にあると仮定する。所与の基地局における隣接セクタは、Ｔの異なる値を有するべきである。  
ｆは、基地局のセクタにおける関数である。  
ｋは、ストリップ・シンボル期間のインデクスであり、ここでｋ＝Ｌ＊１０＋ｍである。ここで、ｍは、ビーコンスロットにおけるストリップ・シンボル・インデクスであり、例えば、ｍは、セット{０，１，・・・，９}における値であり、Ｌは、ウルトラスロットにおけるビーコンスロットスロット・インデクスであり、例えば、Ｌは、セット{０，１，・・・，１７}における値である。
【００８２】
わずかに異なる形式で表現され、  
ｋ＝Ｌ＊１０＋ｍ  
ｔｅｍｐ０＝ｂｓｓＳｅｃｔｏｒＴｙｐｅ＊ｋ＋ｋ＊ｋ  
ｔｅｍｐ１＝ｉｍｏｄ（ｔｅｍｐ０、Ｎ）  
ｆ（ｂｓｓＳｌｏｐｅＩｎｄｅｘ、ｂｓｓＳｅｃｔｏｒＴｙｐｅ，ｋ）＝ｍｏｄ（ｔｅｍｐ１＊（ｂｓｓＳｌｏｐｅＩｎｄｅｘ＋１），Ｎ）であり、  
ここで、整数ｘおよびｍに関して、モジュロ関数ｍｏｄ（ｘ，ｍ）は、ｍｏｄ（ｘ，ｍ）＝ｘ−ｍ＊ｆｌｏｏｒ（ｘ／ｍ）として定義され、ここで関数ｆｌｏｏｒ（ｘ）は、ｘ以下の最大の整数として定義され、整数ｘおよびｍに関して、逆モジュロ関数ｉｍｏｄ（ｘ，ｍ）は、ｙに等しく、ここでｍｏｄ（ｘ＊ｙ，ｍ）が１に等しいなら１≦ｙ≦ｍである。ｍｏｄ（ｘ，ｍ）がゼロであるなら、ｉｍｏｄ（ｘ，ｍ）は、０に設定される。
【００８３】
様々な実施形態において、第１のトーン・サブセット・ホッピング・シーケンスは、セル識別子、例えばスロープ値の関数である。様々な実施形態において、第１のトーン・セットホッピング・シーケンスも、セクタ識別子値の関数である。
【００８４】
図１３は、様々な実施形態に従って実施される典型的な基地局１３００の図である。典型的な基地局１３００は、バス１３１０を介してともに結合される受信機モジュール１３０２、送信機モジュール１３０４、プロセッサ１３０６、Ｉ／Ｏインタフェース１３０７、およびメモリ１３０８を含み、バス１３１０を介して、様々な要素が、データおよび情報を交換する。メモリ１３０８は、ルーチン１３１２およびデータ／情報１３１４を含む。例えばＣＰＵであるプロセッサ１３０６は、ルーチン１３１２を実行し、基地局１３００の動作を制御しかつ方法を実施するためにメモリ１３０８内のデータ／情報１３１４を使用する。
【００８５】
例えば、ＯＦＤＭ受信機である受信機モジュール１３０２は、受信アンテナ１３０３に結合され、基地局１３００は、受信アンテナ１３０３を介して無線端末からアップリンク信号を受信する。例えば、ＯＦＤＭ送信機である送信機モジュール１３０４は、送信アンテナ１３０５に結合され、基地局は、送信アンテナ１３０５を介して無線端末へダウンリンク信号を送信する。ダウンリンク信号は、第１の時間期間トーン・サブセット・ホッピング・シーケンスに従うヌル・トーンのセットおよび非ヌル・トーンのセットを含む第１の時間期間中に、ストリップ・シンボル信号を含み、第１の時間期間の間の非ヌル・トーンは、同報通信制御情報を搬送する。ダウンリンク信号は、第２の時間期間の間に通信される信号、例えばユーザ・データを搬送するＯＦＤＭ信号、および第４の時間期間中に通信される信号、例えばビーコン・トーン信号および意図的なトーン・ブロック・ヌル信号も含む。様々な実施形態において、基地局１３００は、複数のセクタ、例えば３個のセクタを含む。いくつかの実施形態において、複数の受信機／送信機モジュール対は、各セクタに対応する。
【００８６】
Ｉ／Ｏインタフェース１３０７は、基地局をインターネットおよび／または他のネットワーク・ノード、例えば他の基地局、ルータ、ＡＡＡノード、ホーム・エージェント・ノード等に結合する。Ｉ／Ｏインタフェース１３０７は、基地局１３００をバックホール・ネットワークに結合することによって、ネットワーク接続点として異なる基地局を用いて、無線端末が他の無線端末との通信セッションに参加することを、基地局１３００接続点を使用して可能にする。
【００８７】
ルーチン１３１２は、通信ルーチン１３１６および基地局制御ルーチン１３１８を含む。通信ルーチン１３１６は、基地局１３００によって実施される様々な通信プロトコルを実行する。基地局制御ルーチン１３１８は、受信機制御モジュール１３２０、送信機制御モジュール１３２２、時間期間のタイプ決定モジュール１３３３、Ｉ／Ｏインタフェース制御モジュール１３２４、第１の期間トーン・サブセット決定モジュール１３２６、第１の期間シンボル生成モジュール１３２８、第４の期間シンボル生成モジュール１３３０、第２の期間シンボル生成モジュール１３３２、および第２の期間トーン・ホッピング・モジュールを含む。
【００８８】
受信機制御モジュール１３２０は、受信機１３２０の動作、例えば接続点によって使用されるアップリンク・キャリア周波数に受信機を同調し、タイミング調整およびパワー・レベル調整を制御し、かつアップリンクＯＦＤＭシンボル復元および復号動作を制御することを制御する。Ｉ／Ｏインタフェース制御モジュール１３２４は、Ｉ／Ｏインタフェース１３０７の動作を制御し、例えばバックホールを介して通信されるパケットの送信および復元を制御する。
【００８９】
送信機制御モジュール１３２２は、送信機モジュール１３０４の動作を制御する。送信機モジュール制御モジュール１３２２は、第１の時間期間制御モジュール１３３４、第４の時間期間制御モジュール１３３６、および第２の時間期間制御モジュール１３３８を含む。第１の時間期間制御モジュール１３３４は、第１の時間期間の間の送信機動作、例えばその間に制御情報を運ぶストリップ・シンボルが通信される、基地局によって使用される反復ダウンリンク構造内の所定の時間期間を制御する。第４の時間期間制御モジュール１３３６は、第４の時間期間の間の送信機動作、例えばその間にビーコン信号およびトーン・ブロック・ヌル信号の１つが通信される、基地局によって使用される反復ダウンリンク構造内の所定の時間間隔を制御する。第２の時間期間制御モジュール１３３８は、第２の時間期間の間の送信機動作、例えばその間にユーザ・データが通信される、反復ダウンリンク構造内の所定の時間期間を制御する。いくつかの実施形態において、反復ダウンリンク・タイミング構造は、インデクスされた第３の時間期間の反復シーケンス内に再分割され、各第３の時間期間は、複数の第１の時間期間、複数の第２の時間期間、および複数の第４の時間期間内に区分される。
【００９０】
時間期間のタイプ決定モジュール１３３３は、時間間隔、例えば現在の時間間隔が、基地局によって使用される反復ダウンリンク・タイミング構造内の第１の時間期間、第２の時間期間、または第４の時間期間の１つであるか否かを決定する。モジュール１３３３の決定は、信号生成および送信で使用される様々ないずれかのモジュール間の送信制御で使用される。例えば、モジュール１３３３は、考慮中の時間が第１のタイプの時間期間に対応することを決定するなら、モジュール１３２６、１３２８、および１３３４が使用され、一方、モジュール１３３３は、考慮中の時間が第４のタイプの時間期間に対応することを決定するなら、モジュール１３３０および１３３６が使用される。
【００９１】
第１の期間トーン・サブセット決定モジュール１３２６は、第１のトーン・セットホッピング・シーケンスに従って、パワーが送信されるべきでないトーン・サブセットを第１の反復時間期間について決定し、パワーが送信されるべきでない該決定されたトーン・サブセットは、基地局接続点によって使用されるトーンのダウンリンク・ブロックにおけるトーンの少なくとも３０％を含む。第１の期間トーン・サブセット決定モジュール１３２６は、また第１のトーン・セット・サブセット・ホッピング・シーケンスに従って、パワーが送信されるべきトーン・サブセットを第１の反復時間期間について決定する。様々な実施形態において、基地局接続点に関するダウンリンク・トーン・ブロックは、反復ダウンリンク構造内の所与の第１の時間期間について、パワーが送信されるべきでないトーン・サブセットおよびパワーが送信されるべきトーン・サブセットに区分される。例えば、図１０の情報を使用する典型的な実施形態において、９７個の異なる区分が、それぞれインデクス数に関連付けられて示され、任意の所与の第１の時間間隔について、これら９７個の異なる区分の１つが選択される。いくつかの実施形態において、第１の期間トーン・サブセット決定モジュール１３２６は、セル識別子、セクタ・タイプ識別子、および反復ダウンリンク・タイミング構造内の第１の時間期間インデクスの関数として決定を実行する。図９は、基地局１３００の一部として、例えば基地局１３００におけるモジュール１３２６として実施されることができる典型的なトーン・セット割り当てモジュール９００を記載する。
【００９２】
第１の期間シンボル生成モジュール１３２８は、第１の時間期間の間に通信されるべきＯＦＤＭシンボルを生成する。第１の期間シンボル生成モジュール１３２８は、どのトーンが、変調シンボル、例えば制御同報通信データを搬送する変調シンボルを運び、かつ第１の時間期間の間に通信されるべきＯＦＤＭシンボルを生成するべきであるかを決定するために、モジュール１３２６からパワーが送信されるべき決定されたトーン・サブセットを使用する。
【００９３】
第２の期間シンボル生成モジュール１３３２は、第２の時間期間についてのＯＦＤＭシンボルのシーケンスを生成し、少なくともいくつかのＯＦＤＭシンボルは、ユーザ・データ、例えばダウンリンク・トラフィック・チャネル・セグメントの一部を搬送する変調シンボルを運ぶ。第２の期間シンボル生成モジュールによって使用される第２の期間トーン・ホッピング・モジュール１３３５は、物理トーンに対する論理チャネル・トーンに関するトーン・ホッピングを実行し、第１の期間トーン・サブセット決定モジュール１３２６とは異なる関数を使用する。
【００９４】
第４の期間シンボル生成モジュール１３３０は、反復タイミング構造内の所与の第４の時間期間について、２つのシンボル・ワイド・ビーコン信号およびダウンリンク・トーン・ブロック・ヌル信号の一方を生成する。第４の期間シンボル生成モジュール１３３０は、ビーコン・モジュール１３３１を含む。ビーコン・モジュール１３３１は、ビーコン信号を生成し、生成されたビーコン信号は、反復タイミング構造に従って、第４の時間期間のいくつかの間に送信されるべきであり、生成されたビーコン信号は、時間の第２の期間の間に送信される任意のトーンより高いトーン当たりの信号エネルギを有するビーコン・トーンを含む狭帯域信号である。
【００９５】
データ／情報１３１４は、ダウンリンク・トーン・ブロック情報１３４０、格納された送信機制御情報１３４２、基地局セル識別子情報１３４４、基地局セクタ識別子情報１３４６、第１の期間トーン・サブセット・ホッピング式情報１３４８、タイミング構造情報１３５０、トーン・パワー・レベル情報１３５２、第１の期間トーン・サブセット・インデクス・マッピング情報１３５４、反復タイミング構造内の現在時間情報１３５５、ウルトラスロット内のビーコンスロット・インデクス１３５６、ビーコンスロット内の第１の時間期間ストリップ・シンボル・インデクス１３５８、第１の時間期間シンボル・インデクス１３６０、現在の第１の時間間隔についての決定されたトーン・サブセット・インデクス１３６２、第１の期間シンボルについての制御データ１３６４、およびユーザ・データ１３６６を含む。
【００９６】
ダウンリンク・トーン・ブロック情報１３４０は、基地局接続点によって使用されるダウンリンク・トーンのセット、例えば１１３個の連続するトーンのセット、およびダウンリンク・トーン・ブロックに関連するキャリア周波数を含む。格納された送信機制御情報１３４２は、モジュール１３３２によって使用される情報を含む。基地局セル識別子情報１３４４は、基地局１３００に関連付けられた局所的に唯一のセル識別子、例えば範囲０、・・・、９５内の整数などの基地局スロープ値、およびそれぞれスロープ値に関連付けられる基地局スロープ・インデクス値を含む。基地局セクタ識別子情報１３４６は、基地局セクタ識別子、および基地局セクタ・タイプ値、例えば送信機モジュール１３０４のセクタに関連付けられた基地局セクタ・タイプ識別子、例えばセット{０、１、２}における値を含む。
【００９７】
第１の期間トーン・サブセット・ホッピング式情報１３４８は、トーン・サブセット・ホッピング・シーケンスの生成において第１の期間トーン・サブセット決定モジュール１３２６によって使用される情報、例えば、基地局セル識別子、基地局セクタ・タイプ識別子、および反復タイミング構造内の第１の期間インデクスに関連する情報を含む。
【００９８】
タイミング構造情報１３５０は、ＯＦＤＭシンボル送信時間間隔情報、および例えばスロット情報、スーパスロット情報、ビーコンスロット情報、ウルトラスロット情報などの基地局送信機１３０４によって使用される反復ダウンリンク構造内の複数のＯＦＤＭシンボル送信時間間隔のグループ分けに関連する情報を含む。タイミング構造情報１３５０は、第１の時間期間を識別する情報、第２の時間期間を識別する情報、第４の時間期間を識別する情報、第３の時間期間を識別する情報、および様々なタイプの時間期間に関連付けられるインデクス、例えばウルトラスロット内の第１のタイプの時間期間の第１の発生、およびウルトラスロット内の第１のタイプの時間期間の第２の発生などを含む情報も含む。
【００９９】
トーン・パワー・レベル情報１３５２は、様々なタイプのダウンリンク信号、例えばビーコン・トーン信号変調シンボル・パワー・レベル情報、非ヌル・トーンの第１の期間変調シンボル・パワー・レベル、第２の時間期間の間に搬送される少なくともいくつかの変調シンボルについて使用されるトラフィック・チャネル・パワー・レベル情報、第２の時間期間の間に搬送される少なくともいくつかの変調シンボルについて使用されるパイロット・チャネル・パワー・レベル情報に関連付けられたパワー・レベル情報を含む。
【０１００】
第１の期間トーン・サブセット・インデクス・マッピング情報１３５４は、トーン・サブセット・インデクスが、決定モジュール１３２６によって使用されるべきものであることを決定するなら、所与の第１の時間期間の間に使用される識別されたヌル・トーンのセットおよび識別された非ヌル・トーンのセットを、複数のトーン・サブセット・インデクスのそれぞれを関連付ける情報を含む。図１０の表１０００は、第１の期間トーン・サブセット・インデクス・マッピング情報１３５４の実施例である。
【０１０１】
反復タイミング構造内の現在時間情報１３５５は、基地局送信機モジュール１３０４によって使用される反復ダウンリンク・タイミング構造における現在の位置を識別する。ウルトラスロット内のビーコンスロットスロット・インデクス１３５６、例えば範囲０、・・・、１７内の整数インデクス値Ｌは、現在時間がどのウルトラスロット内のビーコンスロットに対応するかを識別する。ビーコンスロット内の第１の時間期間ストリップ・シンボル・インデクス１３５８、例えば範囲０、・・・、９内の整数値ｍは、時間が第１の時間期間に対応するとき、現在時間がビーコンスロット内のどのインデクスされたストリップ・シンボルに対応するかを識別する。第１の時間期間シンボル・インデクス１３６０、例えば整数値ｋは、ウルトラスロットの第１の時間期間の間のストリップ・シンボルについて使用されるインデクス値を識別し、例えばｋは、範囲０、・・・、１７９内の整数値である。いくつかの実施形態において、ｋは、第１のトーン・サブセット決定モジュール１３２６によって、値Ｌおよびｍの関数として生成される。現在の第１の時間間隔について決定されたトーン・サブセット・インデクス１３６２は、基地局セル識別子１３４４、基地局セクタ識別子１３４６、および第１の時間期間ストリップ・シンボル・インデクス１３６０の関数である決定モジュール１３２６の結果である。
【０１０２】
第１の期間シンボルについての制御データ１３６４は、非ヌル・トーン上の第１の時間期間の間に同報通信される変調シンボルで搬送されるべき制御データ／情報を含む。ユーザ・データ１３６６は、第２の時間期間の間にトラフィック・チャネル・セグメントの変調シンボルを介して搬送されるべきデータ／情報、例えば音声、ビデオ、音響、テキスト、画像、ファイルなどを含む。
【０１０３】
様々な実施形態において、第２の反復時間期間の間に、ダウンリンク・トーンのブロック、例えば１１３個のトーンのダウンリンク・トーン・ブロックは、第２の時間期間の間に非ゼロ変調シンボルを通信するために使用可能であるダウンリンク・トーン・ブロックトーンの少なくとも７０％である情報を送信するために使用される。いくつかの実施形態において、第２の時間期間は、第１の時間期間の持続期間の少なくとも１０倍の持続期間を有する。１つの典型的な実施形態において、第１時間期間は、１個のＯＦＤＭシンボル送信時間間隔の持続期間を有し、第２の時間期間は、１１２個のＯＦＤＭシンボル送信時間間隔の持続期間を有する。いくつかの実施形態において、タイミング構造は、複数、例えば２個または３個の第１の時間期間がともにグループに分けられるものである。いくつかの実施形態において、タイミング構造は、第１の時間期間の所定のグループ分けが、第４の時間期間、例えばビーコン信号が通信されることができる第４の時間期間と同じ持続期間を有するものである。
【０１０４】
様々な実施形態において、第１の期間トーン・サブセット決定モジュール１３２６は、基地局送信機モジュール１３０４によって使用される反復ダウンリンク・タイミング構造における所与の第１の時間期間に関して、複数の所定のトーン・サブセットのどの１つが使用されるか、例えば図１０の表１０００からのどのトーン・サブセット・インデクスが使用されるかを決定する。いくつかの実施形態において、所定のトーン・サブセット・インデクス値の数は、素数、例えば９７である。
【０１０５】
様々な実施形態において、第１および第２の時間期間は、所定の基準で繰り返す第３の時間期間内で生じる。例えば、第３の時間期間は、各第１の時間期間が、ストリップ・シンボル時間期間であることができ、第２の時間期間が、ユーザ・データを搬送するために使用される連続するＯＦＤＭシンボル送信時間期間のセットであることができる典型的なウルトラスロットであり得る。
【０１０６】
いくつかの実施形態において、第１の期間トーン・サブセット決定モジュール１３２６は、以下の式を実施するために第１の期間トーン・サブセット・ホッピング式情報１３４８を使用する。ｆ（ｂｓｓＳｌｏｐｅＩｎｄｅｘ，ｂｓｓＳｅｃｔｏｒＴｙｐｅ，ｋ）＝（ｂｓｓＳｌｏｐｅＩｎｄｅｘ＋１）／（（ｂｓｓＳｅｃｔｏｒＴｙｐｅ＊ｋ＋ｋ２）、ここで、ｆ（ｂｓｓＳｌｏｐｅＩｎｄｅｘ，ｂｓｓＳｅｃｔｏｒＴｙｐｅ，ｋ）は、ｂｓｓＳｌｏｐｅＩｎｄｅｘ値およびｂｓｓＳｅｃｔｏｒＴｙｐｅ値を有する基地局セクタについて、ストリップ・シンボルｋにおいて選択されるべきトーン・サブセットのインデクスを表し、各算術演算子（＋，２，＊，／）は、Ｎの領域で規定され、Ｎは素数であり、ｂｓｓＳｌｏｐｅＩｎｄｅｘは、{０，１，・・・，Ｎ１−１}に対する値のセット内の局所的に唯一のセル識別子値であり、ここで、Ｎ１≦Ｎであり、Ｎ１はゼロではない正の整数であり、ｂｓｓＳｅｃｔｏｒＴｙｐｅは、セット{０，１，・・・，５}、{０，１}、および{０，１，２}の中の１つからのセクタのセクタ識別子値インデクスであり、ｆは、基地局のセクタにおける関数であり、ｋは、負ではない整数である。いくつかのそのような実施形態において、Ｎ＝９７およびＮ１＝９６である。いくつかの実施形態において、ｋ＝Ｌ＊ｎ＋ｍであり、ここでｍは、第１のタイプの時間スロットにおけるストリップ・シンボル・インデクスであり、ｍは、負ではない整数であり、Ｌは、第２のタイプの時間スロットにおける第１のタイプの時間スロット・インデクスであり、ｎは、第１のタイプの時間スロットにおけるインデクスされたストリップ・シンボルの数である。いくつかの実施形態において、第１のタイプの時間スロットは、ビーコンスロットであり、第２のタイプの時間スロットは、ウルトラスロットであり、ここで、ｍは、セット{０，１，・・・，９}における値であり、Ｌは、セット{０，１，・・・，１７}における値であり、ｎは１０である。
【０１０７】
いくつかの実施形態において、第４および第１の時間期間は、同報通信チャネルのために確保された時間に属し、第４の時間期間は、ビーコン・サブチャネルのために確保された時間間隔に対応し、一方、第１の時間期間は、非ビーコン同報通信サブチャネルのために確保された時間に対応する。いくつかの実施形態において、第１および第４の時間期間の両方の間の送信シンボル時間間隔は、ストリップ・シンボル時間間隔と呼ばれ、ストリップ・シンボル時間間隔は、さらに、ビーコンストリップ・シンボル時間間隔および非ビーコン・ストリップ・シンボル時間間隔として分類される。
【０１０８】
図１８は、例えばストリップ・シンボル・データのようなオーバヘッド信号データを例示する図である。ストリップ・シンボル・データは、コード・ブロックに分割されうる。図１３に関して示された期間決定モジュール１３３３のタイプ、あるいは、図１５に関して示された期間決定モジュール１５３０のタイプは、時間期間またはシンボルが、ビーコン・シンボル（第４の時間期間）、ストリップ・シンボル（第１の時間期間）、またはユーザ・データ（第２の時間期間）の何れかであるかを決定する。図１３に関して示された送信機制御モジュール１３２２は、オーバヘッド・データ時間期間としても知られている第２の時間期間中に、ストリップ・シンボルを送信するように送信機を制御する。あるいは、無線端末の場合、本明細書に記載の方法およびデバイスの結果として、図１５について示すような第１の時間期間処理モジュール１５３４が、プロセッサ１５０６に情報を通信する。ストリップ・シンボルは、例えばビーコンのようなタイミング基準に対して周期的な関係を有する図８に示す如くでありうる。図１８に再び示すように、いくつかのＯＦＤＭストリップ・シンボルが、１つのコード・ブロックに含まれうる。例えば６つのストリップ・シンボルを含み、それぞれがＮビットを備えるいくつかのストリップ・シンボル・コード１８１０、１８１３、１８１６、１８１９および１８２２が示される。
【０１０９】
ストリップ・シンボル・コード・ブロックはそれぞれ、固定ビット用途データ１８２５およびフレキシブル・ビット用途データ１８３０に分割されうる。固定ビット用途データ１８２５は、Ｎ１ビットを有して示される。フレキシブル・ビット用途データ１８３０は、Ｎ２ビットを有して示される。一例において、Ｎ１＋Ｎ２＝Ｎである。固定ビット用途データ１８２５は、ビットが、予め定められた用途を有することを意味する。すなわち、ビットの用途は、コード・ブロックにおけるビット位置によって決定される。しかしながら、いくつかメッセージ・ヘッダでは、必ずしも明示的に定義されている必要はない。例えば、基地局のソフトウェア・バージョンの識別に使用するために、あるビットが予め定められる。別の例として、システム時間を規定するために他のビットを使用することができる。アクセス優先度を規定するために更に別のビットを使用することができる。例えば、基地局の負荷が高い場合、それは、高い優先度のユーザしか基地局にアクセスできないか、あるいは、許可されたサービスが、例えば負荷に基づいて変わることでありうる。固定ビット用途ビットはまた、キャリアまたはセクタ・コンフィグレーションを規定するためにも使用される。例えば、どのキャリアであるか、どれだけ多くのキャリアが使用されているか、あるいはどれだけ多くのセクタが使用されているかを規定するために使用することができる。送信機によって使用される送信機電力を、例えばｄＢｍの単位で規定するために、固定ビット用途ビットを使用することもできる。
【０１１０】
フレキシブル・ビット用途データ１８３０は、あるフレキシブルなオーバヘッド・データを与えるために使用することができる。一般に、フレキシブル・ビット用途データ１８３０は、少なくとも３つのフィールド、すなわち、タイプ・フィールド、長さフィールド、およびデータ・フィールドを持つだろう。タイプ・フィールドは、フレキシブル・ビット用途データ１８３０に、どのタイプのデータが含まれているかを規定する。長さフィールドは、データがどれくらいの長さであるかを規定する。データ・フィールドは、送信されているデータを含む。例えば、フレキシブル・ビット用途データは、その他のキャリアまたはその他のセクタ負荷情報でありうる。例えば、基地局は、基地局の別のセクタにおける負荷条件を無線端末へブロードキャストしうる。これは、例えば、無線端末が、他のセクタへハンドオフすべきか否かの決定を支援することができる。この例では、タイプ・フィールドは、フレキシブル・ビット用途データ１８３０を、他のセクタの負荷情報として認識するだろう。フレキシブル・ビット用途データ１８３０の長さフィールドは、データ（他のセクタの負荷情報）の長さを規定するだろう。そして、データ・フィールドは、別のセクタの負荷に関するデータを含むだろう。フレキシブル・ビット用途データ１８３０を持つ実現性は、データが、Ｎ２ビットより長くなることができるということである。すなわち、例えば他のセクタ・レポート・データのような１つのレポートは、ブロック１８１０から１８１３へ続きうる。その場合、無線端末は、ストリップ・シンボル・ブロック１８１０およびストリップ・シンボル・ブロック１８１３からのデータを結合することを認識している。
【０１１１】
固定ビット用途データ１８２５におけるデータは、例えばビーコンのような固定時間基準に対するある周期を持っており周期的である。他のタイプのデータの周期性は、異なりうる。例えば、セクタ内の負荷情報は、ストリップ・シンボル・ブロック毎にブロードキャストされる一方、例えばソフトウェア・バージョン情報のようなその他のデータは、１つおきのストリップ・シンボル・ブロック毎に一度ブロードキャストされうる。データ・ブロック１８４４および１８４６は、ストリップ・シンボル・ブロック１８１３に対応する固定ビット用途データである。データ・ブロック１８４８および１８５０は、ストリップ・シンボル・ブロック１８１６等に対応する固定ビット用途データである。ブロック１８４０、１８４４、１８４８、１８５２、１８５６および１８６０は、全てＮ１Ａとラベル付けされており、全てが、例えばセクタ負荷情報のような同じタイプのデータであることが示される。しかしながら、ブロック１８４２とブロック１８４６とは異なるタイプのデータである。例えば、Ｎ１Ｂとラベル付けされたブロック１８４２は、Ｎ１Ｂとラベル付けされた次のブロック、すなわちブロック１８５０まで反復されないシステム・ソフトウェア情報でありうる。したがって、ソフトウェア・バージョン情報は、セクタ負荷情報の２倍の期間を有する。Ｎ１Ｃとラベルを付けされたブロック１８４６は、アクセス優先度情報であり、この例では次に、ブロック１８５４で反復される。典型的な期間は、１０ミリ秒、１００ミリ秒、１秒、および１分近傍のある値を含む。
【０１１２】
図１９は、情報を通信するストリップ・シンボル・データの方法を例示するフローチャートである。ステップ１９１０では、ビーコン時間期間が識別される。ビーコン時間期間は、例えば、ビーコンスロットの開始のような基準時間である。ステップ１９２０では、ビーコン時間期間に関連するオーバヘッド信号周期性を有する反復時間期間のオーバヘッド・セットが識別される。例えば、反復時間期間のオーバヘッド・セットは、非ビーコン・ストリップ・シンボル期間である。ステップ１９３０では、ビーコン時間期間に関連するデータ・ペイロード周期性を有する反復時間期間のデータ・ペイロード・セットが識別される。反復時間期間のデータ・ペイロード・セットは、ユーザ・データ時間期間であり、第２の時間期間としても知られている。ステップ１９４０では、反復時間期間のオーバヘッド・セットが、例えば図１８に関して示すような反復時間期間のフレキシブル・ビット用途サブセットと、反復時間期間の固定ビット用途サブセットとに分割される。
【０１１３】
ステップ１９５０乃至１９８０はオプションである。ステップ１９５０では、第１のタイプの固定ビット用途メッセージが生成される。ステップ１９６０では、第２のタイプの固定ビット用途メッセージが生成される。ステップ１９７０では、送信するために、第１のタイプの固定ビット用途メッセージの反復送信のための第１の周期が識別される。例えば、第１のタイプの固定ビット用途メッセージは、メッセージ１８４０、１８４４、１８４８、１８５２、１８５６、１８６０等でありうる。ステップ１９８０では、送信するために、第２のタイプの固定ビット用途メッセージの反復送信のための第２の周期が識別される。第２のタイプの固定ビット用途メッセージは、メッセージ１８４２、１８５０、１８５８等でありうる。第１のタイプの固定ビット用途メッセージは、ソフトウェア・バージョン、システム時間、アクセス優先度、負荷情報、キャリア・コンフィグレーション、セクタ・コンフィグレーション、および送信電力のうちの１つでありうる。反復時間期間のフレキシブル・ビット用途サブセットのためのフレキシブル・ビット用途メッセージは、その他のキャリア負荷メッセージを含みうる。反復時間期間のフレキシブル・ビット用途サブセットのためのフレキシブル・ビット用途メッセージは、他のセクタ負荷メッセージでありうる。
【０１１４】
図１４Ａおよび図１４Ｂの組み合わせからなる図１４は、様々な実施形態に従う無線端末の動作の典型的な方法のフローチャートである。動作は、無線端末がパワーオンされかつ初期化されるステップ１４０２で始まる。動作は、ステップ１４０２からステップ１４０４へ進む。
【０１１５】
ステップ１４０４において、無線端末は、基地局接続点送信機から、第４の時間期間の間のビーコン信号を受信する。動作は、ステップ１４０４からステップ１４０６へ進む。ステップ１４０６において、無線端末は、基地局接続点送信機から受信したビーコン信号に対応するセルおよび／またはセクタ識別子情報（１４０８、１４１０）を決定する。動作は、ステップ１４０６からステップ１４１２へ進む。ステップ１４１２において、無線端末は、タイミング同期化情報を決定するために受信したビーコン信号を使用する。例えば、無線端末は、第３の時間期間、例えば反復ダウンリンク・タイミング構造内のウルトラスロットの開始時間を決定するように同期化情報を決定する。次に、ステップ１４１４において、無線端末は、基地局接続点送信機に対して無線端末のダウンリンク受信を同期化するために、ステップ１４１４から決定された同期化情報を使用する。動作は、ステップ１４１４からステップ１４１６へ進む。
【０１１６】
ステップ１４１６において、無線端末は、進行基準で基地局接続点送信機からダウンリンク信号を受信する。動作は、ステップ１４１６からステップ１４１８へ進む。ステップ１４１８において、無線端末は、第３の時間期間内の現在のシンボル時間が、第１、第２、または第３の時間期間に対応するか否かを決定する。第３の時間期間内の現在のシンボル時間が、第４の時間期間に対応するなら、動作は、ステップ１４１８からステップ１４２０へ進み、第３の時間期間内の現在のシンボル時間が、第２の時間期間に対応するなら、動作は、ステップ１４１８からステップ１４２２へ進み、第３の時間期間内の現在のシンボル時間が、第１の時間期間に対応するなら、動作は、ステップ１４１８から接続ノードＡ１４２４を介してステップ１４２６へ進む。
【０１１７】
ステップ１４２０において、無線端末は、受信したならビーコン信号を監視し、復元しかつ処理する。いくつかの実施形態において、いくつかの第４の時間期間は、ビーコン信号を運び、一方、いくつかの第４の時間期間は、基地局接続点送信機による意図的なダウンリンク・トーン・ブロック・ヌルに対応する。動作は、ステップ１４２０からステップ１４４２へ進む。
【０１１８】
ステップ１４２２において、無線端末は、ユーザ・データを含むＯＦＤＭシンボルを復元しかつ処理する。ステップ１４２２は、サブステップ１４２３を含む。サブステップ１４２３において、無線端末は、論理チャネル・トーンを物理チャネル・トーンへマッピングするためにトーン・ホッピング式を使用し、トーン・ホッピング式は、第１の時間期間の間に使用されたトーン・サブセット・ホッピング・シーケンス式とは異なる。様々な実施形態において、サブステップ１４２３のホッピング関数は、セルＩＤ情報１４０８およびセクタＩＤ情報１４１０の少なくとも１つを入力として使用する。動作は、ステップ１４２２からステップ１４４２へ進む。
【０１１９】
ステップ１４２６において、無線端末は、ストリップ・シンボルを復元しかつ処理する。ステップ１４２６は、サブステップ１４２８、１４３０、１４３２、１４３４、１４３６、および１４３８を含む。サブステップ１４２８において、無線端末は、第３の時間期間内の第１の時間期間インデクス、例えば値ｋ１４２９を決定する。動作は、サブステップ１４２８からサブステップ１４３０へ進む。
【０１２０】
サブステップ１４３０において、無線端末は、第３の時間期間内の第１の時間期間インデクス１４２９、決定されたセル識別子情報１４０８、および決定されたセクタ識別子情報１４１０の関数として、第１の時間期間トーン・サブセット・インデクス１４３１を決定する。例えば、サブステップ１４３０において、フローチャート１２００および第１の時間期間についての基地局１３００に関して前述された同一のトーン・サブセット・ホッピング関数が、使用されることができる。動作は、サブステップ１４３０からサブステップ１４３２へ進む。サブステップ１４３２において、無線端末は、ヌル・トーンのサブセットおよび非ヌル・トーンのサブセットを決定するために、決定された第１の時間期間トーン・サブセット・インデクス値１４３１、およびトーン・サブセット・マッピング情報に対する格納された第１の時間期間トーン・サブセット・インデクス１４３３を使用する。１つの典型的な実施形態において、マッピング情報１４３３は、図１０の表１０００の情報を含むことができる。動作は、サブステップ１４３２からサブステップ１４３４へ進む。
【０１２１】
サブステップ１４３４において、無線端末は、ストリップ・シンボルの非ヌル・トーンの識別されたサブセットによって搬送される変調シンボル値を復元する。動作は、サブステップ１４３４からサブステップ１４３６へ進む。サブステップ１４３６において、無線端末は、復元された変調シンボル値によって搬送される同報通信制御データを復元する。動作は、サブステップ１４３６からサブステップ１４３８へ進む。サブステップ１４３８において、無線端末は、基地局接続点送信機が、接続点のトーン・サブセット・ホッピング割り当てシーケンスに従って、第１の時間期間の間に決定されたヌル・トーン・サブセットのトーンで送信することを止める知識を使用して、チャネル推定を実行する。様々な実施形態において、サブステップ１４３４、１４３６、および１４３８の動作は、異なる順番で実行され、かつ／または１つ以上のサブステップ１４３４、１４３６、１４３８は、共同で実行される。例えば、チャネル推定は、同報通信制御データ復元に先行することができる。動作は、サブステップ１４２６から接続ノードＢ１４４０を介してステップ１４４２へ進む。
【０１２２】
ステップ１４４２において、無線端末は、第３の時間期間内のシンボル時間インデクスを更新する。ステップ１４４２への経路に応じて、いくつの実施形態において、インデクス更新量は異なる。例えば、１つの実施形態において、第４の時間期間は、２個の連続するＯＦＤＭシンボル送信時間期間を占め、第２の時間期間は、１１２個の連続するＯＦＤＭシンボル送信時間期間を占め、かつ第１の時間期間は、単一のＯＦＤＭシンボル送信時間期間を占める。ステップ１４４２の更新は、第３の時間期間が、例えば変調動作を使用して完了したとき、第３の期間インデクスが再開始することも考慮する。いくつかの実施形態において、第１の時間期間トーン・サブセット・インデクス値ｋは、新たな第３の時間期間、例えば新たなウルトラスロットの始まりで再設定され、例えば０である。
【０１２３】
動作は、ステップ１４４２からステップ１４１８へ進み、ステップ１４１８で、無線端末は、第３の時間期間内の現在のシンボル時間インデクスが、第１、第２、または第４の時間期間に対応するか否かを決定する。
【０１２４】
図１５は、様々な実施形態に従って実施される典型的な無線端末１５００の図である。典型的な無線端末１５００は、図１４のフローチャート１４００の方法を実施することができる。典型的な無線端末１５００は、様々な要素がデータおよび情報を交換することができるバス１５１０を介してともに結合された受信機モジュール１５０２、送信機モジュール１５０４、プロセッサ１５０６、Ｉ／Ｏデバイス１５０７、およびメモリ１５０８を含む。メモリ１５０８は、ルーチン１５１２およびデータ／情報１５１４を含む。プロセッサ１５０６、例えばＣＰＵは、無線端末の動作を制御しかつ方法を実施するために、ルーチン１５１２を実行しかつメモリ１５０８内のデータ／情報１５１４を使用する。
【０１２５】
受信機モジュール１５０２、例えばＯＦＤＭ受信機は、それを介して無線端末１５００が基地局接続点送信機からダウンリンク信号を受信する受信アンテナ１５０３に結合され、ダウンリンク信号は、ビーコン信号、ストリップ・シンボル信号、およびユーザ・データ信号を含む。送信機モジュール１５０４、例えばＯＦＤＭ送信機は、それを介して無線端末１５００が基地局セクタ接続点へアップリンク信号を送信する送信アンテナ１５０５に結合される。いくつかの実施形態において、同一のアンテナが、受信機モジュール１５０２および送信機モジュール１５０４について、例えば二重モジュールとともに使用される。
【０１２６】
Ｉ／Ｏデバイス１５０７は、例えば、マイクロホン、キーボード、キーパッド、マウス、スイッチ、カメラ、スピーカ、ディスプレイなどを含む。Ｉ／Ｏデバイス１５０７は、無線端末１５００のユーザが、データ／情報を入力し、出力データ／情報にアクセスし、アプリケーションを制御し、かつ少なくともいくつかの機能を開始かつ／または制御し、例えば通信セッションを開始することを可能にする。
【０１２７】
ルーチン１５１２は、通信ルーチン１５１６および無線端末制御ルーチン１５１８を含む。通信ルーチンは、無線端末によって使用される様々な通信プロコトルを実施する。無線端末制御ルーチン１５１８は、受信機制御モジュール１５２０、送信機制御モジュール１５２２、Ｉ／Ｏデバイス制御モジュール１５２４、タイミング同期化決定モジュール１５２６、タイミング同期化調整モジュール１５２８、時間期間のタイプ決定モジュール１５３０、第１の時間期間処理モジュール１５３４、第４の時間期間処理モジュール１５４８、第２の時間期間処理モジュール１５５２、接続点識別モジュール１５５６、およびタイミングモジュール１５５８を含む。
【０１２８】
受信機制御モジュール１５２０は、受信機モジュール１５０２の様々な機能、例えばサーチ・キャリア・サーチ・ルーチンを制御し、かつ受信機をダウンリンク・キャリア周波数に調整することを制御する。送信機制御モジュール１５２２は、送信機モジュール１５０４の機能を制御し、例えばモジュール１５２２は、アップリンク・キャリア設定、アップリンク周波数およびタイミング調整、アップリンクＯＦＤＭシンボル構成および送信、および送信機パワー・レベルを制御する。Ｉ／Ｏデバイス制御モジュール１５２４は、Ｉ／Ｏデバイス１５０７の動作を制御する。
【０１２９】
タイミング同期化決定モジュール１５２６は、反復第３の時間期間、例えば基地局接続点送信機のウルトラスロットに対するタイミング同期化情報を決定する。例えば、タイミング同期化決定モジュール１５２５６は、決定されたタイミング同期化情報に対して１つ以上の受信されたビーコン信号を使用する。タイミング同期化調整モジュール１５２８は、モジュール１５２６からの決定されたタイミング同期化情報を使用して、ダウンリンク受信を同期化する。例えば、タイミング同期化調整モジュール１５２８は、ストリップ・シンボル信号が復元されることができるように、ダウンリンク受信を同期化し、ストリップ・シンボル信号は、同一の基地局接続点から受信され、同期化情報が得られる受信されたビーコン信号に対応する。
【０１３０】
時間期間のタイプ決定モジュール１５３０は、基地局接続点によって使用される反復ダウンリンク・タイミング構造内の様々な異なるタイプの時間期間、例えば、その間に同報通信制御データを運ぶストリップ・シンボルが通信される第１のタイプの時間期間、その間にビーコン信号およびダウンリンク・トーン・ブロック・ヌルの一方が通信される第４のタイプの時間期間、およびその間にユーザ・データを含む複数のＯＦＤＭシンボルが通信される第２のタイプの時間期間を識別する。時間期間のタイプ決定モジュール１５３０は、より大きな反復第３の時間期間内の第１の時間期間を識別する第１の時間期間識別モジュール１５３２を含み、例えば、モジュール１５３２は、ウルトラスロット内のストリップ・シンボル時間期間を識別する。
【０１３１】
第１の時間期間処理モジュール１５３４は、第１の時間期間の間に通信される受信されたストリップ・シンボルを復元しかつ処理する。ストリップ・シンボルを送信する基地局セクタ接続点は、第１の時間期間、ストリップ・シンボル時間期間の間、対応するトーン・サブセット・ホッピング・シーケンスを使用するが、第３の時間期間内の他の時間期間、例えばビーコン・シグナリング時間期間およびユーザ・データ・シグナリング時間期間の間、そのトーン・サブセット・ホッピング・シーケンスを使用しない。無線通信システムは、局所的な領域内の異なる基地局セクタ接続点送信機に、異なるトーン・サブセット・ホッピング・シーケンスを使用する。第１の時間期間処理モジュール１５３４は、第１の時間期間インデクス決定モジュール１５３６、第１の時間期間トーン・サブセット・インデクス決定モジュール１５３８、ヌル・サブセット／非ヌル・サブセット決定モジュール１５４０、変調シンボル復元モジュール１５４２、制御データ復元モジュール１５４４、およびチャネル推定モジュール１５４６を含む。
【０１３２】
第１の時間期間決定モジュール１５３６は、第３の時間期間で処理される第１の時間期間のインデクスを決定する。例えば、いくつかの実施形態において、各第３の時間期間、例えばウルトラスロットは、１８０個のインデクスされた第１の時間期間、ストリップ・シンボル時間期間を含み、ｋは、範囲０、・・・、１７９内のインデクス値である。
【０１３３】
第１の時間期間トーン・サブセット・インデクス決定モジュール１５３８は、第３の時間期間内の識別された第１の時間期間、例えばモジュール１５３６からのインデクス値、セル識別子情報、およびセクタ識別子情報の関数として、第１の時間期間トーン・サブセット・インデクスを決定する。例えば、処理される受信されたストリップ・シンボルを送信した基地局接続点に対応するセルおよびセクタ識別子情報は、いくつかの実施形態において、同一の基地局接続点からビーコン信号を介して通信される情報から復元される。第１の時間期間トーン・サブセット・インデクス決定モジュール１５３８は、いくつかの実施形態において、例えば図１２、図１３、または図１４に関して前述されたトーン・サブセット・ホッピング関数を使用する。１つの典型的な実施形態において、第１の時間期間トーン・サブセット・インデクス決定モジュール１５３８は、図１０の表１０００の９７個のインデクスの１つを決定する。
【０１３４】
ヌル・サブセット／非ヌル・サブセット・モジュール１５４０は、モジュール１５３８によって決定された第１の時間期間トーン・サブセット・インデクス、およびトーン・サブセット・マッピング情報に対する格納された第１の時間期間トーン・サブセット・インデクスを使用して、ヌル・トーンのサブセットおよび非ヌル・トーンのサブセットを決定する。変調シンボル復元モジュール１５４２は、ストリップ・シンボルの非ヌル・トーンによって搬送される変調シンボル値を復元する。制御データ復元モジュール１５４４は、モジュール１５４２から復元された変調シンボル値によって搬送される同報通信制御データを復元する。チャネル推定モジュール１５４６は、基地局接続点送信機が、接続点のトーン・サブセット・ホッピング割り当てシーケンスに従って、第１の時間期間の間に決定されたヌル・トーン・サブセットのトーンで送信することを止める知識を使用して、チャネル推定を実行する。
【０１３５】
第４の時間期間処理モジュール１５４８は、第４の時間期間の間に受信する信号、例えばビーコン信号および意図的なダウンリンク・トーン・ブロック・ヌルを処理する。第４の時間期間処理モジュール１５４８は、ビーコン・モジュール１５５０を含み、ビーコン・モジュール１５５０は、受信したビーコン信号を処理する、例えばビーコン・トーンを識別し、ビーコン・トーンのシーケンスを識別し、かつ／または受信したビーコン信号に対応するセルおよび／またはセクタ識別子情報を決定する。接続点識別情報モジュール１５５６は、対象の接続点、例えば無線端末が接続を求めまたは現在接続される接続点に対応する識別情報を得るかつ／または決定する。いくつかの実施形態において、無線端末は、ビーコン信号、例えばスロープ値およびセクタ・インデクス値を介して接続された、セルおよび／またはセクタ識別子情報を受信することができる。接続点情報モジュール１５５６は、いくつかの実施形態において、そのような情報をさらに処理し、例えば、第１の時間期間トーン・サブセット・インデクス決定モジュール１５３８によって使用されるスロープ・インデクス値およびセクタ・タイプ値を得る。
【０１３６】
第２の時間期間処理モジュール１５５２は、第２の時間期間の間にユーザ・データを含むＯＦＤＭシンボルを受信しかつ処理し、第２の時間期間は、第３の時間期間内にあり、第２の時間期間は、第１の時間期間の持続期間の少なくとも１０倍の持続期間を有する。第２の時間期間処理モジュール１５５２は、トーン・ホッピング・モジュール１５５４を含む。トーン・ホッピング・モジュール１５５２は、トーン・ホッピングを決定するために、物理トーン・ホッピング関数に対する論理チャネル・トーンならびにセルおよび／またはセクタ識別子情報を使用する。第２の時間期間の間にモジュール１５５４によって使用されるトーン・ホッピング関数は、第１の時間期間の間に使用されるトーン・サブセット・ホッピング関数とは異なる式を使用する。
【０１３７】
タイミングモジュール１５５８は、無線端末１５００に関するシンボル・タイミングを維持しかつ更新し、例えば第３の時間期間内のシンボル時間インデクスを更新する。１つの典型的な実施形態において、第１の時間期間は、１個のＯＦＤＭシンボル送信時間期間の持続期間を有し、第４の時間期間は、２個のＯＦＤＭシンボル送信時間期間の持続期間を有し、かつ第２の時間期間は、１１２個のＯＦＤＭシンボル送信時間期間の持続期間を有する。
【０１３８】
データ／情報１５１４は、ダウンリンク・トーン・クロック情報１５６０、タイミング構造情報１５６２、トーン・パワー・レベル情報１５６４、第１の期間トーン・サブセット・ホッピング式情報１５６６、第２の期間トーン・ホッピング情報１５６８、第１の期間トーン・サブセット・インデクス・マッピング情報１５７０、タイミング同期化情報１５７２、基地局セル識別子情報１５７４、基地局セクタ識別子情報１５７６、反復タイミング構造内の現在の時間情報１５７８、ウルトラスロット内のビーコン・インデクス、例えばＬ値１５８０、ビーコンスロット内の第１の時間期間ストリップ・シンボル・インデクス、例えばｍ値１５８２、第１の時間期間ストリップ・シンボル・インデクス、例えばｋ値１５８４、現在の第１の時間間隔に関して決定されたトーン・サブセット・インデクス１５８６、復元されたストリップ・シンボル変調シンボル情報１５８８、第１の期間シンボルからの制御データ１５９０、決定されたチャネル推定１５９２、およびユーザ・データ１５９４を含む。ダウンリンク・トーン・ブロック情報１５６０は、１つ以上のダウンリンク・トーン・ブロック、例えば、キャリア周波数、トーン・ブロック内のトーンの数、トーンの周波数などを含む通信システムで使用される１１３個のＯＦＤＭトーンのダウンリンク・トーン・ブロックに対応する情報を含む。タイミング構造情報１５６２は、ＯＦＤＭシンボル送信時間期間情報を含む反復ダウンリンク・タイミング構造の情報、およびＯＦＤＭシンボル送信時間期間、例えばウルトラスロットなどの第３の時間期間、ストリップ・シンボル時間期間などの第１の時間期間、ユーザ・データ・シグナリング時間期間などの第２の時間期間、およびビーコン信号および意図的なダウンリンク・トーン・ブロック・ヌルの一方のために確保された期間などの第４の時間期間のグループ分けに関連する情報を含む。トーン・パワー・レベル情報１５６４は、様々なタイプの信号に関連する基地局接続点送信パワー・レベル情報、例えばビーコン情報、ストリップ・シンボル同報通信信号、パイロット・チャネル、トラフィック・チャネル・ユーザ・データ信号などを含む。
【０１３９】
第１のトーン期間トーン・サブセット・ホッピング式情報１５６６は、第１の時間期間トーン・サブセット・インデクス決定モジュール１５３８によって使用される、例えば第１の時間期間についてのホッピング式の実施における情報を含む。第２の期間トーン・ホッピング情報１５６８は、第２のトーンの間のダウンリンク・トーン・ホッピングの実行でトーン・ホッピング・モジュール１５５４によって使用される。第１の期間トーン・サブセット・インデクス・マッピング情報１５７０は、例えば図１０の表１０００の情報を含む。
【０１４０】
タイミング同期化情報１５７２は、モジュール１５２６から決定されかつモジュール１５２８によって使用される情報、例えば、無線端末がダウンリンク・タイミング構造内のウルトラスロットの始まりに対して同期化することを可能にするオフセット情報を含む。基地局セル識別子情報１５７４は、ストリップ・シンボルが処理される基地局接続点に関連付けられるスロープ値および／またはスロープ・インデクス値などの情報を含む。いくつかの実施形態において、セル識別子情報は、モジュール１５５０および／またはモジュール１５５６から得られかつ／または導出される。基地局セクタ識別子情報１５７６は、ストリップ・シンボルが処理される基地局接続点に関連付けられるセクタ値および／またはセクタ・タイプ値などの情報を含む。いくつかの実施形態において、セクタ識別子情報１５７６は、モジュール１５５０および／またはモジュール１５５６から得られかつ／または導出される。基地局セル識別子情報１５７４および基地局セクタ識別子情報１５７６は、例えば制御入力として、第１の時間期間トーン・サブセット・インデクス決定モジュール１５３８およびトーン・ホッピング・モジュール１５５４によって使用される。
【０１４１】
反復タイミング構造内の現在の時間情報１５７８は、その無線端末が、ダウンリンク信号を復元するためにそのダウンリンク・タイミング構造を同期化した基地局接続点送信機によって使用される反復ダウンリンク・タイミング構造内の現在の位置を識別する。ウルトラスロット内のビーコンスロット・インデクス１５８０、例えば範囲０、・・、１７内の整数インデクス値Ｌは、ウルトラスロット内のどのビーコンスロットが現在の時間に対応するかを識別する。ビーコンスロット内の第１の時間期間ストリップ・シンボル１５８３、例えば範囲０、・・・、９内の整数値ｍは、時間が第１の時間期間に対応するとき、インデクスされたストリップ信号がビーコンスロット内の現在の時間に対応するかを識別する。第１の時間期間ストリップ・シンボル・インデクス１５８４、例えば整数値ｋは、ウルトラスロットの第１の時間期間の間のストリップ・シンボルに使用されるインデクス値を識別し、ｋは例えば範囲０、・・、１７９内の整数値であり、第１の時間間隔のウルトラスロット内の相対位置を識別する。いくつかの実施形態において、ｋは、第１の時間期間インデクス決定モジュール１５３６によって、値Ｌおよびｍの関数として生成される。現在の第１の時間間隔に関して決定されたトーン・サブセット・インデクス１５８６は、基地局セル識別子１５７４、基地局セクタ識別子１５７６、および第１の時間期間ストリップ・シンボル・インデクス１５８４の関数である決定モジュール１５３８の結果である。
【０１４２】
復元されたストリップ・シンボル変調シンボル情報１５８８は、変調シンボル復元モジュール１５４２によって復元された情報を含む。例えば、復元されたストリップ・シンボル変調シンボル情報１５８８は、所与の復元されたストリップ・シンボルに関して、ストリップ・シンボルによって搬送される５５個または５６個のＱＰＳＫ復元された変調シンボルのセットに対応する情報を含む。第１の期間シンボルに関する制御データ１５９０は、基地局接続点からストリップ・シンボルの非ヌル・トーンで、第１の時間期間の間に変調シンボル同報通信から復元された制御データ／情報を含む。情報１５９０は、制御データ復元モジュール１５４４の出力である。決定されたチャネル推定１５９２は、チャネル推定モジュール１５４６からの出力であり、処理される第１の時間期間からのストリップ信号に少なくとも部分的に基づく。いくつかの実施形態において、チャネル推定１５９２は、ストリップ信号情報に完全に基づく。ユーザ・データ１３６６は、データ／情報、例えば音声、ビデオ、音響、テキスト、画像、ファイルなどを含み、データ／情報は、第２の時間期間の間にダウンリンク・トラフィック・チャネル・セグメントの変調シンボルを介して受信される。
【０１４３】
図１６は、様々な実施形態に従って情報を通信するためにトーンのブロックを使用する通信デバイス、例えば基地局を動作するモジュールを有する典型的な通信デバイスのブロック図である。モジュール１６０４は、第３の時間期間の間に通信されるべきヌル・トーン、非ヌル・トーン、および信号を決定し、かつ例えば繰り返す基準で信号を送信する。例えば、第３の時間期間は、通信デバイスによって使用される反復タイミング構造内のウルトラスロットであり得る。モジュール１６０４は、モジュール１６０６、１６０８、１６１０、１６１２、１６１４、１６１６、１６１８、１６２０、および１６２２を含む。
【０１４４】
モジュール１６０６において、通信デバイスは、第３の時間期間内の現在のシンボル時間が、第１、第２、または第４の時間期間に対応するか否かを決定する。現在のシンボル時間期間が、第４の時間期間に対応するなら、動作は、モジュール１６０６からモジュール１６０８へ進む。現在のシンボル時間期間が、第１の時間期間に対応するなら、動作は、モジュール１６０６からモジュール１６１４へ進む。現在のシンボル時間期間が、第２の時間期間に対応するなら、動作は、モジュール１６０６からサブステップ１６１６へ進む。
【０１４５】
モジュール１６０８において、通信デバイスは、ビーコン送信がトーン・ブロック内で送信されるようにスケジュールされるか否かを決定する。ビーコンが、現在のシンボル時間に対応してスケジュールされるなら、動作は、モジュール１６０８からモジュール１６１０へ進む。ビーコンが、現在のシンボル時間に対応してスケジュールされていないなら、動作は、サブステップ１６０８からモジュール１６１２へ進む。モジュール１６１０において、通信デバイスは、第４の反復時間期間の間、例えば、ビーコン信号およびトーン・ブロック・ヌルの１つのために確保された２つの連続するＯＦＤＭシンボル送信時間間隔の時間期間の間に、第２の反復時間期間の間に送信される任意のトーンより高いトーン信号当たりのエネルギ・レベルを有する狭帯域ビーコン・トーンを送信する。モジュール１６１２において、通信デバイスは、第４の反復時間期間の間、トーン・ブロックへの送信を止める。動作は、モジュール１６１０またはモジュール１６１２からモジュール１６２２へ進む。
【０１４６】
いくつかの実施形態において、通信システム内の異なる基地局接続点は、例えばセルおよび／またはセクタ識別子の関数として、ビーコン信号を搬送するために第３の時間期間内で異なる第４の時間期間を使用した。例えば、１つの典型的な３個のセクタ実施形態において、第３の時間期間は、２４個のインデクスされた第４の時間期間を含む。例えば、セクタ・タイプ０の接続点は、ビーコン信号を搬送するためにインデクス０、３、６、９、１２、１５、１８、２１を有する第４の時間間隔を使用し、かつトーン・ブロックに対してインデクス１、２、４、５、７、８、１０、１１、１３、１４、１６、１７、１９、２０、２２、２３を有する第４の時間期間の間に送信を止める。セクタ・タイプ１の接続点は、ビーコン信号を搬送するためにインデクス１、４、７、１０、１３、１６、１９、２２を有する第４の時間間隔を使用し、かつトーン・ブロックに対してインデクス０、２、３、５、６、８、９、１１、１２、１４、１５、１７、１８、２０、２１、２３を有する第４の時間期間の間に送信を止める。セクタ・タイプ２の接続点は、ビーコン信号を搬送するためにインデクス２、５、８、１１、１４、１７、２０、２３を有する第４の時間間隔を使用し、かつトーン・ブロックに対してインデクス０、１、３、４、６、７、９、１０、１２、１３、１５、１６、１８、１９、２１、２２を有する第４の時間期間の間に送信を止める。
【０１４７】
モジュール１６１４において、第１の反復時間期間、例えば１個のＯＦＤＭシンボル時間間隔持続期間のストリップ・シンボル時間期間について、通信デバイスは、第１のトーン・ホッピング・シーケンスに従って、パワーが送信されるべきでないトーン・サブセット、および非ゼロ変調シンボルが送信されるべきであるトーン・サブセットを決定し、パワーが送信されるべきでない決定されたトーン・サブセットは、トーン・ブロック内のトーンの少なくとも３０パーセントを含み、変調シンボルが送信されるべきである決定されたトーン・サブセットは、使用されるべき複数の所定のトーン・サブセットの１つである。
【０１４８】
いくつかの実施形態において、第３の時間間隔における所与の第１の時間期間について、決定されたヌル・トーンのサブセットおよび非ヌル・トーンのサブセットの結合は、基地局接続点に関するトーン・ブロックトーンのセット、例えば基地局接続点に関するダウンリンク・トーン・ブロックトーンのセットである。図１０は、ヌル・トーンの９７個の異なるサブセットおよび非ヌル・トーンの９７個の異なるサブセットに対応する典型的なトーン・サブセット情報を含む。ヌルおよび非ヌル・トーンの混合を使用することによって、信号が送信された第１の時間期間は、チャネル推定を実行するために受信機、例えば無線端末受信機によって使用されることができる。さらに、同報通信制御情報は、第１の時間期間の間に通信される非ヌル変調シンボルの値によって通信される。
【０１４９】
第３の時間期間内の所与の第１の時間期間に対応するトーン・サブセットは、いくつかの実施形態において、通信デバイスの接続点に対応するセル、セクタ識別子、および／またはトーン・ブロック、およびタイミング構造内のＯＦＤＭシンボル時間の関数として決定される。例えば、隣接するセルおよびまたはセクタに対応する接続点は、同一のトーンのサブセットを使用して異なるトーン・ホッピング・シーケンスを使用する。図９は、典型的なトーン・ホッピング決定を記載する。
【０１５０】
動作は、モジュール１６１４からモジュール１６１８へ進む。モジュール１６１８において、通信デバイスは、モジュール１６１４から決定されたトーン・サブセットに従ってＯＦＤＭシンボルを生成する。動作は、モジュール１６１８からモジュール１６２０へ進む。モジュール１６２０において、通信デバイスは、モジュール１２１８から生成されたＯＦＤＭシンボルを送信する。動作は、モジュール１２２０からモジュール１２２２へ進む。
【０１５１】
モジュール１６１６において、通信デバイスは、第２の反復時間期間、例えばユーザ・データを搬送するために使用される１１２個の連続するＯＦＤＭシンボル時間間隔の間に、情報を送信するためにトーンのブロックを使用し、トーン・ブロックのトーンの少なくとも７０パーセントが、第２の時間期間の間に非ゼロ変調シンボルを通信するために利用可能である。例えば、第２の時間期間、ダウンリンク・トラフィック・チャネル・セグメント信号は、いくつかの制御信号に加えて通信される。モジュール１６１６において、論理チャネル・トーンは、いくつかの実施形態において、第１の時間期間に適用可能なトーン・サブセット・ホッピングとは異なるトーン・ホッピング・スキームに従って、物理トーンにホッピングされる。いくつかのそのような実施形態において、第２の時間期間の間に適用可能なトーン・ホッピング、および第１の時間期間の間に適用可能なトーン・サブセット・ホッピングの両方は、ホッピング、例えばトーン・ホッピング、トーン・サブセット・ホッピングを決定するための入力として、セルおよび／またはセクタ識別子情報を利用する。例えば、異なる式は、同一の基地局セクタ接続点に関するホッピングに対して第１および第２の時間期間の間に使用される。動作は、モジュール１６１６からモジュール１６２２へ進む。
【０１５２】
モジュール１６２２において、通信デバイスは、第３の時間期間内のシンボル時間インデクスを更新する。例えば、１つの実施形態において、動作が、モジュール１６１０または１６２２を介してモジュール１６２２へ進んだなら、インデクスは、２個のＯＦＤＭシンボル送信時間期間によって更新される。動作が、モジュール１６１４を介してモジュール１６２２へ進んだなら、インデクスは、１個のＯＦＤＭシンボル送信時間期間によって更新される。動作が、モジュール１６１６を介してモジュール１６２２へ進んだなら、インデクスは、１１２個のＯＦＤＭシンボル送信時間期間によって更新される。様々な実施形態において、更新は、インデクスが、第３の時間期間が完了したとき、次の連続する第３の時間期間、例えばウルトラスロットについて始まるように、変調計算を使用する。動作が、モジュール１６２２からモジュール１６０６へ進む。
【０１５３】
様々な実施形態において、第２の反復時間期間は、第１の時間期間の持続期間の少なくとも１０倍の持続期間を有する。いくつかの実施形態において、第２の時間期間は、第１の時間期間の持続期間の５０倍より長い持続期間を有する。いくつかの実施形態において、第２の時間期間は、第１の時間期間の持続期間の１００倍より長い持続期間を有する。いくつかの実施形態において、第２の時間期間が、ユーザ・データ送信期間に対応するので、第１および第２の時間期間と、ユーザ・データが通信されない第１および第４の時間期間などの時間期間のタイミング構造内位置との間の平衡は、ユーザの様相から途切れないユーザ・データ通信の達成、特に、例えば音声アプリケーションなどの小さいレイテンシを必要とするアプリケーションにおいて重要な考慮すべきことであり得る。いくつかの実施形態において、第４の時間期間は、同期化、例えばフレーム同期化を実行する無線端末によって使用されるビーコン信号を搬送するために利用されるので、典型的な第３の時間期間は、第４の時間期間で始まる。
【０１５４】
様々な実施形態において、第１の時間期間について、第１のセットトーン・ホッピング・シーケンスは、複数の所定のトーン・サブセットのどの１つを使用するかを決定する。例えば、所与の基地局接続点についての反復タイミング構造内の所与の第１の時間期間に関する第１のトーン・セット・ホッピング・シーケンスは、図１０の表１０００の９７個の列の１つに対応するトーン・サブセット情報を使用することを決定する。様々な実施形態において、無線通信システムにおける異なる隣接する基地局接続点は、異なる第１の時間期間トーン・サブセット・ホッピング・シーケンスを使用する。
【０１５５】
様々な実施形態において、第１および第２の時間期間は、変調増分インデクスを使用してインデクスされた第１の時間期間内のＯＦＤＭシンボル送信時間期間を、所定の基準で繰り返す第３の時間期間内で生じ、第１のトーン・セット・ホッピング・シーケンスは、変調増分インデクスの関数である。例えば、典型的なウルトラスロットは、１８０個のインデクスされた第１の時間期間を含むことができるが、第１のトーン・ホッピング・シーケンスは、ウルトラスロット内の９８番目の第１の時間期間で反復を開始する。
【０１５６】
様々な実施形態において、ヌル・トーン・サブセットおよび非ヌル・トーン・サブセットの少なくとも１つに対応する所定のトーン・サブセットの数は、素数である。図１０の実施例において、素数は９７である。
【０１５７】
１つの典型的な実施形態において、しばしばトーン・サブセット・ホッピング・シーケンスとも称されるトーン・サブセット割り当てシーケンスは、以下のように与えられる。
【０１５８】
ｆ（ｂｓｓＳｌｏｐｅＩｎｄｅｘ，ｂｓｓＳｅｃｔｏｒＴｙｐｅ，ｋ）＝（ｂｓｓＳｌｏｐｅＩｎｄｅｘ＋１）／（（ｂｓｓＳｅｃｔｏｒＴｙｐｅ＊ｋ＋ｋ２）は、ストリップ・シンボルｋにおいて選択されるべきトーン・サブセットのインデクスを表し、ここで、各算術演算子（＋，２，＊，／）は、Ｎの領域で規定され、Ｎは素数であり、例えば、Ｎ＝９７である。
【０１５９】
ｂｓｓＳｌｏｐｅＩｎｄｅｘは、セルスロープ値のインデクスであり、好ましくはセルの各セクタについて同一であり、隣接セルは、ｂｓｓＳｌｏｐｅＩｎｄｅｘに関して異なる値を有するべきである。パラメータｂｓｓＳｌｏｐｅＩｎｄｅｘは、０，１，・・・，Ｎ１−１に等しく、ここで、Ｎ１≦Ｎである。例えば、１つの実施形態において、Ｎ１＝９６である。
【０１６０】
ｂｓｓＳｅｃｔｏｒＴｙｐｅは、セクタのインデクスである。例えば、セクタ・タイプＴが、セット{０，１，・・・，５}、{０，１}または{０，１，２}にあると仮定し、所与の基地局における隣接セクタは、Ｔの異なる値を有するべきである。  
ｆは、基地局のセクタにおける関数である。  
ｋは、ストリップ・シンボル期間のインデクスであり、ここでｋ＝Ｌ＊１０＋ｍである。  
ｍは、ビーコンスロット内のストリップ・シンボル・インデクスであり、例えば、ｍは、セット{０，１，・・・，９}内の値である。  
Ｌは、ウルトラスロット内のビーコン・インデクスであり、例えばＬは、セット{０，１，・・・，１７}内の値である。
【０１６１】
わずかに異なる形式で表現され、  
ｋ＝Ｌ＊１０＋ｍ  
ｔｅｍｐ０＝ｂｓｓＳｅｃｔｏｒＴｙｐｅ＊ｋ＋ｋ＊ｋ  
ｔｅｍｐ１＝ｉｍｏｄ（ｔｅｍｐ０、Ｎ）  
ｆ（ｂｓｓＳｌｏｐｅＩｎｄｅｘ、ｂｓｓＳｅｃｔｏｒＴｙｐｅ，ｋ）＝ｍｏｄ（ｔｅｍｐ１＊（ｂｓｓＳｌｏｐｅＩｎｄｅｘ＋１），Ｎ）であり、  
ここで、整数ｘおよびｍに関して、モジュロ関数ｍｏｄ（ｘ，ｍ）は、ｍｏｄ（ｘ，ｍ）＝ｘ−ｍ＊ｆｌｏｏｒ（ｘ／ｍ）として定義され、ここで関数ｆｌｏｏｒ（ｘ）は、ｘ以下の最大の整数として定義され、整数ｘおよびｍに関して、逆モジュロ関数ｉｍｏｄ（ｘ，ｍ）は、ｙに等しく、ｍｏｄ（ｘ＊ｙ，ｍ）が１に等しいなら１≦ｙ≦ｍである。ｍｏｄ（ｘ，ｍ）がゼロであるなら、ｉｍｏｄ（ｘ，ｍ）は、０に設定される。
【０１６２】
様々な実施形態において、第１のトーン・サブセット・ホッピング・シーケンスは、セル識別子、例えばスロープ値の関数である。様々な実施形態において、第１のトーン・ホッピング・シーケンスは、セクタ識別子値の関数でもある。
【０１６３】
図１７Ａおよび図１７Ｂの組み合わせからなる図１７は、様々な実施形態に従って無線端末を動作するモジュールを有する典型的な無線端末のブロック図である。無線端末１７００は、無線端末が、基地局接続点送信機から第４の時間期間の間にビーコン信号を受信するモジュール１７０４を含む。動作は、モジュール１７０４からモジュール１７０６へ進む。モジュール１７０６において、無線端末は、基地局接続点送信機から受信したビーコン信号に対応するセルおよび／またはセクタ識別子情報（１７０８、１７１０）を決定する。動作は、モジュール１７０６からモジュール１７１２へ進む。モジュール１７１２において、無線端末は、タイミング同期化情報を決定するために受信したビーコン信号を使用する。例えば、無線端末は、第３の時間期間、例えば反復ダウンリンク・タイミング構造におけるウルトラスロットの始まりを決定するように同期化情報を決定する。次に、モジュール１７１４において、無線端末は、無線端末のダウンリンク受信を基地局接続点送信機に同期化するために、モジュール１７１４から決定された同期化情報を使用する。動作は、モジュール１７１４からモジュール１７１６へ進む。
【０１６４】
モジュール１７１６において、無線端末は、進行基準で基地局接続点送信機からダウンリンク信号を受信する。動作は、モジュール１７１６からモジュール１７１８へ進む。モジュール１７１８において、無線端末は、第３の時間期間内の現在のシンボル時間が、第１、第２、または第３の時間期間に対応するか否かを決定する。第３の時間期間内の現在のシンボル時間が、第４の時間期間に対応するなら、動作は、モジュール１７１８からモジュール１７２０へ進む。第３の時間期間内の現在のシンボル時間が、第２の時間期間に対応するなら、動作は、モジュール１７１８からモジュール１７２２へ進む。第３の時間期間内の現在のシンボル時間が、第１の時間期間に対応するなら、動作は、モジュール１７１８から接続ノードＡ１７２４を介してモジュール１７２６へ進む。
【０１６５】
モジュール１７２０において、無線端末は、受信したならビーコン信号を監視し、復元しかつ処理する。いくつかの実施形態において、いくつかの第４の時間期間は、ビーコン信号を運び、一方、いくつかの第４の時間期間は、基地局接続点送信機による意図的なダウンリンク・トーン・ブロック・ヌルに対応する。動作は、モジュール１７２０からモジュール１７４２へ進む。
【０１６６】
モジュール１７２２において、無線端末は、ユーザ・データを含むＯＦＤＭシンボルを復元しかつ処理する。モジュール１７２２は、モジュール１７２３を含む。モジュール１７２３において、無線端末は、論理チャネル・トーンを物理チャネル・トーンへマッピングするためにトーン・ホッピング式を使用し、トーン・ホッピング式は、第１の時間期間の間に使用されたトーン・サブセット・ホッピング・シーケンス式とは異なる。様々な実施形態において、モジュール１７２３のホッピング関数は、セルＩＤ情報１４０８およびセクタＩＤ情報１４１０の少なくとも１つを入力として使用する。動作は、モジュール１７２２からモジュール１７４２へ進む。
【０１６７】
モジュール１７２６において、無線端末は、ストリップ・シンボルを復元しかつ処理する。モジュール１４２６は、モジュール１７２８、１７３０、１７３２、１７３４、１７３６、および１７３８を含む。モジュール１７２８において、無線端末は、第３の時間期間内の第１の時間期間インデクス、例えば値ｋ１７２９を決定する。動作は、モジュール１７２８からモジュール１７３０へ進む。
【０１６８】
モジュール１７３０において、無線端末は、第３の時間期間内の第１の時間期間インデクス１７２９、決定されたセル識別子情報１４０８、および決定されたセクタ識別子情報１４１０の関数として、第１の時間期間トーン・サブセット・インデクス１７３１を決定する。例えば、モジュール１７３０において、フローチャート１２００および第１の時間期間についての基地局１３００に関して前述された同一のトーン・サブセット・ホッピング関数が使用されうる。動作は、モジュール１７３０からモジュール１７３２へ進む。モジュール１７３２において、無線端末は、ヌル・トーンのサブセットおよび非ヌル・トーンのサブセットを決定するために、決定された第１の時間期間トーン・サブセット・インデクス値１７３１、およびトーン・サブセット・マッピング情報に対する格納された第１の時間期間トーン・サブセット・インデクス１７３３を使用する。１つの典型的な実施形態において、マッピング情報１７３３は、図１０の表１０００の情報を含むことができる。動作は、モジュール１７３２からサブステップ１７３４へ進む。
【０１６９】
モジュール１７３４において、無線端末は、ストリップ・シンボルの非ヌル・トーンの識別されたサブセットによって搬送される変調シンボル値を復元する。動作は、モジュール１７３４からモジュール１７３６へ進む。モジュール１７３６において、無線端末は、復元された変調シンボル値によって搬送される同報通信制御データを復元する。動作は、モジュール１７３６からモジュール１７３８へ進む。モジュール１７３８において、無線端末は、基地局接続点送信機が、接続点のトーン・サブセット・ホッピング割り当てシーケンスに従って、第１の時間期間の間に決定されたヌル・トーン・サブセットのトーンで送信することを止める知識を使用して、チャネル推定を実行する。様々な実施形態において、モジュール１７３４、１７３６、および１７３８の動作は、異なる順番で実行され、かつ／または１つ以上のモジュール１７３４、１７３６、１７３８は、共同で実行される。例えば、チャネル推定は、同報通信制御データ復元に先行することができる。動作は、ステップ１７２６から接続ノードＢ１７４０を介してモジュール１７４２へ進む。
【０１７０】
モジュール１７４２において、無線端末は、第３の時間期間内のシンボル時間インデクスを更新する。ステップ１７４２への経路に応じて、いくつの実施形態において、インデクス更新量は異なる。例えば、１つの典型的な実施形態において、第４の時間期間は、２個の連続するＯＦＤＭシンボル送信時間期間を占め、第２の時間期間は、１１２個の連続するＯＦＤＭシンボル送信時間期間を占め、かつ第１の時間期間は、単一のＯＦＤＭシンボル送信時間期間を占める。モジュール１７４２の更新は、第３の時間期間が、例えば変調動作を使用して完了したとき、第３の期間インデクスが再開始することも考慮する。いくつかの実施形態において、第１の時間期間トーン・サブセット・インデクス値ｋは、新たな第３の時間期間、例えば新たなウルトラスロットの始まりで例えば０に再設定される。
【０１７１】
動作は、モジュール１７４２からモジュール１７１８へ進み、モジュール１７１８で、無線端末は、第３の時間期間内の現在のシンボル時間インデクスが、第１、第２、または第４の時間期間に対応するか否かを決定する。
【０１７２】
図１６および図１７に関して記載された様々なモジュールは、より少ないモジュールに組み合わせられることができる。例えば、モジュール１６１０および１６１２は、単一のモジュールに含まれることができる。さらに、図１６および図１７に関して記載された様々なモジュールは、図２、図３、図９、図１３、および図１５で１つ以上のモジュールで表されることができる。
【０１７３】
様々な実施形態において、受信されたストリップ・シンボルは、送信されたＯＦＤＭシンボルに対応するＯＦＤＭシンボルであり、ヌル・トーンのサブセットおよび非ヌル・トーンのサブセットを使用して、基地局接続点送信機によって送信され、ヌル・トーンのサブセットは、ダウンリンク・トーン・ブロックにおけるトーンの少なくとも３０％である。いくつかのそのような実施形態において、非ヌル・トーンのサブセットは、複数の無線端末に向けられた同報通信制御情報を通信するために使用される。
【０１７４】
様々な実施形態において、第２の反復時間期間の間に、ダウンリンク・トーンのブロック、例えば１１３個のトーンのダウンリンク・トーン・ブロックは、第２の時間期間の間に非ゼロ変調シンボルを通信するために使用可能であるダウンリンク・トーン・ブロックトーンの少なくとも７０％である情報を送信するために使用される。いくつかの実施形態において、第２の時間期間は、第１の時間期間の持続期間の少なくとも１０倍の持続期間を有する。１つの典型的な実施形態において、第１の時間期間は、１個のＯＦＤＭシンボル送信時間間隔の持続期間を有し、第２の時間期間は、１１２個のＯＦＤＭシンボル送信時間間隔の持続期間を有する。いくつかの実施形態において、タイミング構造は、複数、例えば２個または３個の第１の時間期間がともにグループに分けられるものである。いくつかの実施形態において、タイミング構造は、第１の時間期間の所定のグループ分けが、第４の時間期間、例えばビーコン信号が通信されることができる第４の時間期間と同じ持続期間を有するものである。
【０１７５】
いくつかの実施形態の技術は、ソフトウェア、ハードウェア、および／またはソフトウェアとハードウェアとの組み合わせを使用して実施されることができる。いくつかの実施形態は、装置、例えば、モバイル端末、基地局、いくつかの実施形態を実施する通信システムなどのモバイル・ノードに向けられる。それは、方法、例えば、いくつかの実施形態に従って、モバイル・ノード、基地局、および／またはホストなどの通信システムを制御しかつ／または動作する方法にも向けられる。いくつかの実施形態は、いくつかの実施形態に従って１つ以上のステップを実施するために、機械を制御するための機械可読命令を含む、機械可読媒体、例えばＲＯＭ、ＲＡＭ、ＣＤ、ハードディスクなどにも向けられる。
【０１７６】
様々な実施形態において、本明細書に記載されるノードは、いくつかの実施形態の１つ以上の方法に対応するステップ、例えば信号処理、メッセージ生成、および／または送信ステップを実行するために、１つ以上のモジュールを使用して実施される。したがって、いくつかの実施形態において、いくつかの実施形態の様々な特徴は、モジュールを使用して実施される。そのようなモジュールは、ソフトウェア、ハードウェア、またはソフトウェアとハードウェアとの組み合わせを使用して実施されることができる。上述された方法または方法ステップの多くは、例えば１つ以上のノードにおける上述された方法の全てまたは一部を実施するために、追加のハードウェアを有するまたは有さない機械、例えば汎用コンピュータを制御するために、メモリ・デバイス、例えばＲＡＭ、フロッピー（登録商標）ディスクなどの機械可読媒体に含まれるソフトウェアなどの機械実行可能な命令を使用して実施されることができる。したがって、とりわけ、いくつかの実施形態は、機械、例えばプロセッサおよび関連付けられるハードウェアに、上述の方法の１つ以上のステップを実行させる機械実行可能な命令を含む機械可読媒体に向けられる。
【０１７７】
ＯＦＤＭシステムに関連して記載されるが、いくつかの実施形態の方法および装置の少なくともいくつかは、多くの非ＯＦＤＭおよび／または非セルラ・システムを含む広範な通信システムに適用可能である。
【０１７８】
上述のいくつかの実施形態の方法および装置に対する多数のさらなる変形は、いくつかの実施形態の上記記載に鑑み当業者には明らかである。そのような変形は、いくつかの実施形態の範囲内であると考えられる。いくつかの実施形態の方法および装置は、ＣＤＭＡ、直交周波数分割多重化（ＯＦＤＭ）、および／またはアクセス・ノードとモバイル・ノードとの間の無線通信リンクを提供するために使用されることができる様々な他のタイプの通信技術であることができ、かつ様々な実施形態において様々な他のタイプの通信技術である。いくつかの実施形態において、アクセス・ノードは、ＯＦＤＭおよび／またはＣＤＭＡを使用するモバイル・ノードを有する通信リンクを確立する基地局として実施される。様々な実施形態において、モバイル・ノードは、ノートブック・コンピュータ、携帯情報端末（ＰＤＡ）、またはいくつかの実施形態の方法を実施するための受信機／送信機回路および論理および／またはルーチンを含む他の可搬デバイスである。
【図面の簡単な説明】
【０１７９】
【図１】様々な実施形態に従って実施された典型的な通信システムのネットワーク図を示す図。
【図２】様々な実施形態に従って実施された典型的な基地局を示す図。
【図３】様々な実施形態に従って実施された典型的な無線端末を示す図。
【図４】ＯＦＤＭシステムで使用される典型的なトーン・セットを示す図。
【図５】様々な実施形態に従ってストリップ・シンボル期間および非ストリップ・シンボル期間を示す典型的な信号フレーム構造を示す図。
【図６】様々な実施形態に従って基地局送信機によって使用されるトーン・サブセットの典型的なセットを示す図。
【図７】様々な実施形態に従って２つの送信機によって使用される２つの典型的なトーン・サブセット割り当てシーケンスを示す図。
【図８】様々な実施形態に従うフレーム同期構造に適合するように、トーン・サブセット割り当てシーケンスを切り詰める動作を示す図。
【図９】様々な実施形態に従って実施された典型的なトーン・サブセット割り当てモジュールを示す図。
【図１０】図１０Ａ、図１０Ｂ、図１０Ｃ、図１０Ｄ、図１０Ｅ、図１０Ｆ、および図１０Ｇの組み合わせからなる図。
【図１０Ａ】典型的な実施形態において、ストリップ・シンボル間隔で使用するために割り当てられた典型的なトーン・サブセットの複合物の表を示す図。
【図１０Ｂ】典型的な実施形態において、ストリップ・シンボル間隔で使用するために割り当てられた典型的なトーン・サブセットの複合物の表を示す図。
【図１０Ｃ】典型的な実施形態において、ストリップ・シンボル間隔で使用するために割り当てられた典型的なトーン・サブセットの複合物の表を示す図。
【図１０Ｄ】典型的な実施形態において、ストリップ・シンボル間隔で使用するために割り当てられた典型的なトーン・サブセットの複合物の表を示す図。
【図１０Ｅ】典型的な実施形態において、ストリップ・シンボル間隔で使用するために割り当てられた典型的なトーン・サブセットの複合物の表を示す図。
【図１０Ｆ】典型的な実施形態において、ストリップ・シンボル間隔で使用するために割り当てられた典型的なトーン・サブセットの複合物の表を示す図。
【図１０Ｇ】典型的な実施形態において、ストリップ・シンボル間隔で使用するために割り当てられた典型的なトーン・サブセットの複合物の表を示す図。
【図１１】様々な実施形態に従って基地局接続点に関連付けられたダウンリンク・トーン・ブロックの使用に対する典型的な反復タイミング構造を示す図。
【図１２】様々な実施形態に従って情報を通信するためにトーンのブロックを使用する通信デバイス、例えば基地局を動作する典型的な方法のフローチャートを示す図。
【図１３】様々な実施形態に従って実施される典型的な基地局を示す図。
【図１４】図１４Ａおよび図１４Ｂの組み合わせからなる図。
【図１４Ａ】様々な実施形態に従う無線端末の動作の典型的な方法のフローチャートを示す図。
【図１４Ｂ】様々な実施形態に従う無線端末の動作の典型的な方法のフローチャートを示す図。
【図１５】様々な実施形態に従って実施される典型的な無線端末を示す図。
【図１６】様々な実施形態に従って情報を通信するためにトーンのブロックを使用する通信デバイス、例えば基地局を動作するモジュールを有する典型的な通信デバイスのブロック図を示す図。
【図１７】図１７Ａおよび図１７Ｂの組み合わせからなる図。
【図１７Ａ】様々な実施形態に従って無線端末を動作するモジュールを有する典型的な無線端末のブロック図を示す図。
【図１７Ｂ】様々な実施形態に従って無線端末を動作するモジュールを有する典型的な無線端末のブロック図を示す図。
【図１８】オーバヘッド信号データを例示する図。
【図１９】情報を通信するためにストリップ・シンボル・データを用いる方法を例示するフローチャート。
【図１】
2009538545.tif 000003
【図２】
2009538545.tif 000004
【図３】
2009538545.tif 000005
【図４】
2009538545.tif 000006
【図５】
2009538545.tif 000007
【図６】
2009538545.tif 000008
【図７】
2009538545.tif 000009
【図８】
2009538545.tif 000010
【図９】
2009538545.tif 000011
【図１０】
2009538545.tif 000012
【図１０Ａ】
2009538545.tif 000013
【図１０Ｂ】
2009538545.tif 000014
【図１０Ｃ】
2009538545.tif 000015
【図１０Ｄ】
2009538545.tif 000016
【図１０Ｅ】
2009538545.tif 000017
【図１０Ｆ】
2009538545.tif 000018
【図１０Ｇ】
2009538545.tif 000019
【図１１】
2009538545.tif 000020
【図１２】
2009538545.tif 000021
【図１３】
2009538545.tif 000022
【図１４】
2009538545.tif 000023
【図１４Ａ】
2009538545.tif 000024
【図１４Ｂ】
2009538545.tif 000025
【図１５】
2009538545.tif 000026
【図１６】
2009538545.tif 000027
【図１７】
2009538545.tif 000028
【図１７Ａ】
2009538545.tif 000029
【図１７Ｂ】
2009538545.tif 000030
【図１８】
2009538545.tif 000031
【図１９】
2009538545.tif 000032
【国際調査報告】
2009538545.tif 000033
2009538545.tif 000034
2009538545.tif 000035